(57)【要約】【課題】既存の部材を用いてサークル本体の外側に新たな拡張空間を形成することで、複数のペットを収容した際のペット同士の接触を回避し、かつ単数のペットを収容した際のペットの躾を効果的に行うことができるペット用サークルを提供する。【解決手段】左右の縦杆２２と上下の横杆２３とからなる枠体２０を備えた複数枚の柵部材２の互いに隣接し合う幅方向端２１，２１同士を直線部で直線部用固定具３により連結すると共に角部１２で角部用固定具４により連結してサークル本体を形成し、その柵部材２の１つを出入口用柵部材６に置換する。この出入口用柵部材６の外側にサークル拡張体５Ａを連設する。サークル拡張体５Ａの左右方向両端に位置する各柵部材５の幅方向端２１をサークル本体の柵部材２の幅方向端２１に対し、互いの縦杆２２，２２の表裏両側辺２１１，２１２同士を突き合わせた状態で縦杆用締結具３４により連結する。【選択図】図６
2016116457.tif 000002
【特許請求の範囲】
【請求項１】
断面略矩形状の左右の縦杆とこれらの縦杆の上下両端を連結する断面略矩形状の上下の横杆とからなる枠体を備えた複数枚の柵部材の互いに隣接し合う幅方向端同士を、平面視でのサークル本体の真直ぐな直線部及び直角な角部においてそれぞれ連結して枠状に囲撓するペット用サークルであって、
前記各柵部材のうち、前記サークル本体の直線部において互いに相隣なる双方の柵部材は、互いの幅方向端同士の表裏両側辺をそれぞれ突き合わせた状態で直線部用固定具により連結されている一方、前記サークル本体の角部において互いに相隣なる双方の柵部材は、互いの幅方向端の裏側辺同士のみを突き合わせた状態で角部用固定具により連結され、
前記各柵部材には、それぞれの枠体の表裏方向における隅部を当該各柵部材の表裏方向に貫通する表裏方向貫通孔が設けられているとともに、前記各縦杆を幅方向に貫通する幅方向貫通孔が設けられ、
前記直線部用固定具は、前記サークル本体の直線部において互いに相隣なる双方の柵部材の前記表裏方向貫通孔に対応する表裏方向対応孔を長手方向両端部に有する長尺材を当該双方の柵部材に亘って締結するように前記表裏方向貫通孔及び前記表裏方向対応孔にそれぞれ挿通される長尺材用締結具、並びに前記サークル本体の直線部において互いに相隣なる双方の柵部材の縦杆同士を締結するように当該双方の柵部材の縦杆同士の前記幅方向貫通孔にそれぞれ挿通される縦杆用締結具のいずれか一方を備えている一方、
前記角部用固定具は、前記サークル本体の角部において互いに相隣なる双方の柵部材の幅方向端同士の裏側辺に隣接する裏側面に対しそれぞれ半径面部が対面するように中心角度が９０°の扇状に形成され、かつ前記表裏方向貫通孔に対応する対応穴を前記各半径面部に有する扇状連結部材と、この扇状連結部材を前記サークル本体の角部において互いに相隣なる双方の柵部材の枠体の裏側面に締結するように前記表裏方向貫通孔から前記対応穴にそれぞれ挿通される螺着部材と、を備えているとともに、
前記各柵部材のうちの少なくとも１枚の柵部材としては、前記左右の縦杆とこれらの縦杆の上下両端のうちの少なくとも下端を連結する前記横杆とこれらの各杆により形成された出入口を開閉する扉とを備えた出入口用柵部材が適用されており、
前記サークル本体には、そのサークル本体の各柵部材と同一構成の柵部材を単数又は複数連結して前記出入口用柵部材の外側に新たに囲繞された拡張空間を形成するサークル拡張体が連設され、
前記サークル拡張体の左右方向両端に位置する各柵部材の幅方向端が、前記サークル本体の柵部材の幅方向端に対し、互いの縦杆の表裏両側辺のうちのいずれか一方のみを突き合わせた状態で前記角部用固定具により連結、又は互いの縦杆の表裏両側辺同士を突き合わせた状態で前記縦杆用締結具により連結されていることを特徴とするペット用サークル。
【請求項２】
前記サークル本体の各柵部材のうちの前記拡張空間とは非対面となる位置の少なくとも１枚の柵部材は、前記出入口用柵部材に置換されている請求項１に記載のペット用サークル。
【請求項３】
前記サークル拡張体の単数の柵部材又は複数の柵部材のうちの少なくとも１枚の柵部材は、前記出入口用柵部材に置換されている請求項１又は請求項２に記載のペット用サークル。
【請求項４】
前記サークル拡張体は、その上方へ開口する開口部を開閉する屋根部材を備えており、
前記屋根部材は、前記表裏方向貫通孔を四隅に有する前記各柵部材と同一の枠体を備え、前記扇状連結部材及び前記長尺材の上面に載置されて前記サークル拡張体の内側に沿って設置され、前記サークル拡張体に対し脱着自在な固定具を介して固定されている請求項１〜請求項３のいずれか１つに記載のペット用サークル。
【請求項５】
前記屋根部材は、前記開口部を閉塞するに必要な枚数を組み合わせた状態で前記サークル拡張体の内側に沿って設置され、
前記各屋根部材は、前記サークル拡張体に対し脱着自在な固定具を介して固定されているとともに、互いに相隣なる屋根部材同士は、そのうちの一方の屋根部材の前記サークル拡張体に対する前記固定具の固定が解除されたときに他方の屋根部材に対し開閉されるように開閉具を介して支持されている請求項４に記載のペット用サークル。
【請求項６】
前記サークル本体の各柵部材、又は前記サークル拡張体の各柵部材及び前記サークル本体の各柵部材のうちの前記拡張空間と対面する位置の柵部材は、それぞれの枠体内を不透明又は半透明に目隠しするパネル材を備えている請求項１〜請求項５のいずれか１つに記載のペット用サークル。
【発明の詳細な説明】
【技術分野】
【０００１】
本発明は、犬などのペット用サークルに関し、詳しくは、サークル本体により形成されたサークル空間の外側に新たな拡張空間を形成するようにしたものに係る。
【背景技術】
【０００２】
近年、子犬等のペットを家屋内の一定の場所に入れておくために、ペット用サークルが用いられている。
【０００３】
このペット用サークルは、断面略矩形状の左右の縦杆とこれらの縦杆の上下両端同士を連結する断面略矩形状の横杆とを有する枠体を備えた複数枚の柵部材を真直ぐおよび／または直角に連結具により連結して構成され、そのサークル本体によるサークル空間にペットを収容するようにしている（特許文献１参照）。
【先行技術文献】
【特許文献】
【０００４】
【特許文献１】特開２００７−１８９９３８号公報
【発明の概要】
【発明が解決しようとする課題】
【０００５】
ところで、ペット用サークルに新たなペットを追加収容する場合には、新旧のペット同士が互いに干渉し合い、その干渉によって不具合が生じることがある。具体的には、トイレで用便しているペットに対し他のペットが接触すると、用便に集中できなかったり、周囲を汚すおそれがある。また、睡眠中のペットに対し他のペットが接触すると、ペットの睡眠の邪魔となり、安眠の妨げとなりやすい。更に、給餌中に餌を取り合って互いに喧嘩をしたりするおそれもある。
【０００６】
また、ペット用サークル内に単数のペットを収容している場合においても、飼い主がペットの躾る上で、トイレの場所や睡眠場所又は給餌場所をペットに認識させて、ペットを躾たいという要求がある。
【０００７】
本発明は、かかる点に鑑みてなされたものであり、その目的とするところは、既存の部材を用いてサークル本体の外側に新たな拡張空間を形成することで、複数のペットを収容した際のペット同士の接触を回避することができるとともに、単数のペットを収容した際のペットの躾を効果的に行うことができるペット用サークルを提供することにある。
【課題を解決するための手段】
【０００８】
前記目的を達成するため、本発明では、断面略矩形状の左右の縦杆とこれらの縦杆の上下両端を連結する断面略矩形状の上下の横杆とからなる枠体を備えた複数枚の柵部材の互いに隣接し合う幅方向端同士を、平面視でのサークル本体の真直ぐな直線部及び直角な角部においてそれぞれ連結して枠状に囲撓するペット用サークルを前提とする。そして、前記各柵部材のうち、前記サークル本体の直線部において互いに相隣なる双方の柵部材を、互いの幅方向端の表裏両側辺同士をそれぞれ突き合わせた状態で直線部用固定具により連結する一方、前記サークル本体の角部において互いに相隣なる双方の柵部材を、互いの幅方向端の裏側辺同士のみを突き合わせた状態で角部用固定具により連結する。更に、前記各柵部材に、それぞれの枠体の表裏方向における隅部を当該各柵部材の表裏方向に貫通する表裏方向貫通孔を設けるとともに、前記各縦杆を幅方向に貫通する幅方向貫通孔を設ける。また、前記直線部用固定具に、前記サークル本体の直線部において互いに相隣なる双方の柵部材の前記表裏方向貫通孔に対応する表裏方向対応孔を長手方向両端部に有する長尺材を当該双方の柵部材に亘って締結するように前記表裏方向貫通孔及び前記表裏方向対応孔にそれぞれ挿通される長尺材用締結具、並びに前記サークル本体の直線部において互いに相隣なる双方の柵部材の縦杆同士を締結するように当該双方の柵部材の縦杆同士の前記幅方向貫通孔にそれぞれ挿通される縦杆用締結具のいずれか一方を備える。一方、前記角部用固定具に、前記サークル本体の角部において互いに相隣なる双方の柵部材の幅方向端の裏側辺同士に隣接する裏側面に対しそれぞれ半径面部が対面するように中心角度が９０°の扇状に形成され、かつ前記表裏方向貫通孔に対応する対応穴を前記各半径面部に有する扇状連結部材と、この扇状連結部材を前記サークル本体の角部において互いに相隣なる双方の柵部材の枠体の裏側面に締結するように前記表裏方向貫通孔から前記対応穴にそれぞれ挿通される螺着部材と、を備える。加えて、前記各柵部材のうちの少なくとも１枚の柵部材として、前記左右の縦杆とこれらの縦杆の上下両端のうちの少なくとも下端を連結する前記横杆とこれらの各杆により形成された出入口を開閉する扉とを備えた出入口用柵部材を適用する。また、前記サークル本体に、そのサークル本体の各柵部材と同一構成の柵部材を単数又は複数連結して前記出入口用柵部材の外側に新たに囲繞された拡張空間を形成するサークル拡張体を連設している。そして、前記サークル拡張体の左右方向両端に位置する各柵部材の幅方向端を、前記サークル本体の柵部材の幅方向端に対し、互いの縦杆の表裏両側辺のうちのいずれか一方のみを突き合わせた状態で前記角部用固定具により連結、又は互いの縦杆の表裏両側辺同士を突き合わせた状態で前記縦杆用締結具により連結することを特徴としている。
【０００９】
また、前記サークル本体の各柵部材のうちの前記拡張空間とは非対面となる位置つまり拡張空間と対面しない位置の少なくとも１枚の柵部材を、前記出入口用柵部材に置換することがこのましい。
【００１０】
また、前記サークル拡張体の単数の柵部材又は複数の柵部材のうちの少なくとも１枚の柵部材を、前記出入口用柵部材に置換することがこのましい。
【００１１】
また、前記サークル拡張体に、その上方へ開口する開口部を開閉する屋根部材を備える。そして、前記屋根部材は、前記表裏方向貫通孔を四隅に有する前記各柵部材と同一の枠体を備え、前記扇状連結部材又は前記長尺材の上面に載置されて前記サークル拡張体の内側に沿って設置され、前記サークル拡張体に対し脱着自在な固定具を介して固定されていてもよい。
【００１２】
また、前記屋根部材を、前記開口部を閉塞するに必要な枚数を組み合わせた状態で前記サークル拡張体の内側に沿って設置する。そして、前記各屋根部材を、前記サークル拡張体に対し脱着自在な固定具を介して固定するとともに、互いに相隣なる屋根部材同士を、そのうちの一方の屋根部材の前記サークル拡張体に対する前記固定具の固定を解除したときに他方の屋根部材に対し開閉するように開閉具を介して支持していてもよい。
【００１３】
更に、前記サークル本体の各柵部材、又は前記サークル拡張体の各柵部材及び前記サークル本体の各柵部材のうちの前記拡張空間と対面する位置の柵部材に、それぞれの枠体内を不透明又は半透明に目隠しするパネル材を設けることがこのましい。
【発明の効果】
【００１４】
以上、要するに、サークル本体の出入口用柵部材の外側に新たな拡張空間を形成するサークル拡張体の左右方向両端に位置する各柵部材の幅方向端を、サークル本体の柵部材の幅方向端に対し、互いの縦杆の表裏両側辺のうちのいずれか一方のみを突き合わせた状態で角部用固定具により連結、又は互いの縦杆の表裏両側辺同士を突き合わせた状態で縦杆用締結具により連結することで、サークル本体のサークル空間の外側に出入口用柵部材によって出入り可能な新たな拡張空間を簡単に連設することができる。よって、複数のペットを収容した際のペット同士の接触を回避することができるとともに、単数のペットを収容した際のペットの躾を効果的に行うことができる。しかも、出入口用柵部材によってサークル空間と拡張空間との出入りをスムーズに行うことができる。
【００１５】
また、サークル本体の各柵部材のうちの拡張空間とは対面しない位置の少なくとも１枚の柵部材を出入口用柵部材に置換することで、サークル空間内外への出入りをスムーズに行うことができる。
【００１６】
また、サークル拡張体の単数の柵部材又は複数の柵部材のうちの少なくとも１枚の柵部材を出入口用柵部材に置換することで、拡張空間内外への出入りをスムーズに行うことができる。
【００１７】
また、各柵部材と同一の枠体を備えた屋根部材を、サークル拡張体の扇状連結部材又は長尺材の上面に載置し、サークル拡張体に対し固定具を介して脱着自在に固定することで、拡張空間に入れたペットを確実に隔離することができる。
【００１８】
また、拡張空間の開口部を必要枚数で閉塞する屋根部材のうちの一方の屋根部材を、サークル拡張体に対する固定具の固定解除によって、他方の屋根部材に対し開閉具を介して開閉させることで、開口部を必要枚数で閉塞した屋根部材を全て取り外さなくても開口部の開閉が行え、一方の屋根部材の固定具の固定解除によって簡単に開口部を開閉することができる。
【００１９】
更に、サークル本体の各柵部材、又はサークル拡張体の各柵部材及びサークル本体の各柵部材のうちの拡張空間と対面する位置の柵部材に、それぞれの枠体内を不透明又は半透明に目隠しするパネル材を設けることで、サークル空間内又は拡張空間内が外方から目隠しされ、サークル空間内又は拡張空間内での視野に入れたくないペットの所作を効率よく隠すことができる。
【図面の簡単な説明】
【００２０】
【図１】本発明の第１の実施の形態に係るペット用サークルの平面図である。
【図２】図１のペット用サークルの斜視図である。
【図３】図２のペット用サークルのサークル本体の直線部において互いに相隣なる両柵部材の一方の幅方向端同士を連結する直線部用固定具の分解斜視図である。
【図４】図２のペット用サークルのサークル本体の角部において互いに相隣なる両柵部材の他方の幅方向端同士を連結する角部用固定具の分解斜視図である。
【図５】図４の角部用固定部により連結される両柵部材の他方の幅方向端同士を斜め下方から見た斜視図である。
【図６】サークル拡張体の左右両端に位置する柵部材の他方の幅方向端とサークル本体の柵部材の他方の幅方向端とを縦杆用締結具によって連結した状態での横断平面図である。
【図７】屋根部材を固定する固定具付近の斜視図であって、（ａ）は屋根部材の外方へ固定具の平ゴムを引っ張った状態を示し、（ｂ）は引っ張った平ゴムを下方へ引き延ばした状態を示し、（ｃ）は平ゴム先端のＤカンを係合片に係合させた状態を示している。
【図８】第１の実施の形態の変形例に係るペット用サークルの平面図である。
【図９】第１の実施の形態のその他の変形例に係るペット用サークルの平面図である。
【図１０】本発明の第２の実施の形態に係るペット用サークルの平面図である。
【図１１】図１０のペット用サークルの斜視図である。
【図１２】第２の実施の形態の変形例に係るペット用サークルの平面図である。
【図１３】第２の実施の形態のその他の変形例に係るペット用サークルの平面図である。
【図１４】本発明の第３の実施の形態に係るペット用サークルの平面図である。
【図１５】第３の実施の形態の変形例に係るペット用サークルの平面図である。
【図１６】本発明の第４の実施の形態に係るペット用サークルの平面図である。
【図１７】第４の実施の形態の変形例に係るペット用サークルの平面図である。
【図１８】本発明の第５の実施の形態に係るペット用サークルの平面図である。
【図１９】図１８のペット用サークルのサークル本体の直線部において互いに相隣なる双方の柵部材の一方の幅方向端同士を連結する直線部用固定具の分解斜視図である。
【図２０】図１８のペット用サークルのサークル本体の直線部において互いに相隣なる双方の柵部材の一方の幅方向端同士を縦杆用締結具によって連結している状態を示す横断平面図である。
【図２１】第５の実施の形態の変形例に係るペット用サークルの平面図である。
【図２２】第５の実施の形態のその他の変形例に係るペット用サークルの平面図である。
【図２３】本発明の第６の実施の形態に係るペット用サークルの平面図である。
【図２４】本発明の第７の実施の形態に係るペット用サークルの平面図である。
【図２５】第７の実施の形態の変形例に係るペット用サークルの平面図である。
【図２６】第７の実施の形態のその他の変形例に係るペット用サークルの平面図である。
【図２７】第７の実施の形態のその他の変形例に係るペット用サークルの平面図である。
【図２８】本発明の第８の実施の形態に係るペット用サークルの平面図である。
【図２９】第８の実施の形態の変形例に係るペット用サークルの平面図である。
【図３０】第８の実施の形態のその他の変形例に係るペット用サークルの平面図である。
【図３１】第５、第７及び第８の実施の形態の変形例に係るペット用サークルのサークル本体の直線部において縦杆部材を挟んで互いに相隣なる双方の柵部材の幅方向端同士を連結する直線部用固定具の分解斜視図である。
【発明を実施するための形態】
【００２１】
以下、本発明の実施の形態を添付した図面により詳細に説明する。
【００２２】
先ず、図１は本発明の第１の実施の形態に係るペット用サークルの平面図、図２はペット用サークルの斜視図をそれぞれ示している。この図１及び図２において符号１Ａで示すペット用サークルは、縦方向（図１では上下方向）に２枚の柵部材２，２の一方の幅方向端２１，２１同士を直線状に連結した直線部１１ａ，１１ｂと、横方向（図１では左右方向）に２枚の柵部材２，２の一方の幅方向端２１，２１同士を直線状に連結した直線部１１ｃ，１１ｄとからなるサークル本体１０Ａを備え、それぞれの直線部１１ａ〜１１ｄの各柵部材２の他方の幅方向端２１，２１同士が角部１２において直角に連結されて平面視で略矩形枠状に形成されている。各柵部材２は、木製の枠体２０を備えている。この枠体２０は、断面略矩形状の左右の縦杆２２，２２と、これらの縦杆２２，２２の互いに向き合う対向面の上下両端をそれぞれ連結する断面略矩形状の上下の横杆２３，２３とを備えている。また、枠体２０には、上下の横杆２３，２３同士の間を幅方向所定間隔置き（例えば５〜７ｃｍ置き）に連結する柵棒体２４，２４，…が設けられている。この場合、サークル本体１０Ａは家屋内に設置されている。
【００２３】
図３はペット用サークル１Ａのサークル本体１０Ａの直線部１１ａ〜１１ｄの各柵部材２の一方の幅方向端２１，２１同士を連結する直線部用固定具の分解斜視図を示している。この図３において、サークル本体１０Ａの各柵部材２のうち、直線部１１ａ〜１１ｄにおいて互いに相隣なる双方の柵部材２，２は、その相隣なる双方の柵部材２，２の一方の幅方向端２１，２１の表裏両側辺２１１，２１２同士をそれぞれ突き合わせた状態で直線部用固定具３により連結されている。
【００２４】
各柵部材２の枠体２０の表裏方向における四隅（隅部）には、上下の横杆２３，２３の幅方向両端を当該各柵部材２の表裏方向（図３では手前奥方向）に貫通する表裏方向貫通孔２５が設けられているとともに、各縦杆２２の上下両端部をそれぞれ幅方向（図３では左右方向）に貫通する幅方向貫通孔２６が設けられている。
【００２５】
直線部用固定具３は、サークル本体１０Ａの直線部１１ａ〜１１ｄの各柵部材２，２のそれぞれの一方の幅方向端２１側の表裏方向貫通孔２５に対応する表裏方向対応孔３１，３１を長手方向両端部に有する合成樹脂製の長尺材３２を有し、かつこの長尺材３２を当該各柵部材２に亘って締結するように表裏方向貫通孔２５及び表裏方向対応孔３１にそれぞれ挿通される長尺材用締結具３３を備えている。この長尺材用締結具３３は、長さ方向一端に回転操作用フランジ３３１を備えた螺子軸３３２と、長さ方向一端に回転操作用フランジ３３３を有し、かつ螺子軸３３２を螺合可能とする螺子筒３３４とを備えている。そして、長尺材用締結具３３は、サークル本体１０Ａの直線部１１ａ〜１１ｄの各柵部材２の一方の幅方向端２１側の表裏方向貫通孔２５に対し長尺材３２の幅方向両端部の表裏方向対応孔３１，３１を対応させた状態で、それぞれの表裏方向対応孔３１，３１から螺子軸３３２を挿通し、各表裏方向貫通孔２５から挿通した螺子筒３３４に螺合することで、当該直線部１１ａ〜１１ｄの各柵部材２に亘って長尺材３２を締結している。
【００２６】
図４はペット用サークル１Ａのサークル本体１０Ａの角部１２において互いに相隣なる柵部材２，２の他方の幅方向端２１，２１同士を連結する角部用固定具の分解斜視図、図５は角部用固定部により連結される柵部材２，２の他方の幅方向端２１，２１同士を斜め下方から見た斜視図をそれぞれ示している。
【００２７】
図４及び図５に示すように、サークル本体１０Ａの角部１２において互いに相隣なる柵部材２，２の他方の幅方向端２１，２１は、その隣接し合う他方の幅方向端２１，２１の裏側辺２１２，２１２同士のみを突き合わせた状態で角部用固定具４により連結されている。この角部用固定具４は、中心角度が９０°の扇状に形成された扇状連結部材４１と、この扇状連結部材４１をサークル本体１０Ａの角部１２において互いに相隣なる柵部材２，２の他方の幅方向端２１，２１側の横杆２３の裏側面２２１の端部に締結する螺着部材４２とを備えている。扇状連結部材４１は、サークル本体１０Ａの角部１２において互いに相隣なる柵部材２，２の他方の幅方向端２１，２１の裏側辺２１２，２１２同士に隣接する裏側面２２１に対してそれぞれ対面する半径面部４１１，４１１を有し、この各半径面部４１１には表裏方向貫通孔２５に対応する対応穴４１２が設けられている。また、螺着部材４２は、軸材の側部にねじ孔４３１を有するナット４３と、このナット４３のねじ孔４３１に螺着されるねじ４４とを備えている。更に、扇状連結部材４１の一側面４１３には、ナット４３を収納するナット収納穴４１４，４１４が設けられ、この各ナット収納穴４１４は、各半径面部４１１の対応穴４１２に対して直交している。
【００２８】
各ナット４３は、扇状連結部材４１のナット収納穴４１４の径よりやや小さい径の金属軸材からなり、この軸部材の頭部には＋状の溝４３２が形成されている。そして、角部用固定具４は、角部１２において互いに相隣なる柵部材２，２の他方の幅方向端２１，２１側の表裏方向貫通孔２５に対し扇状連結部材４１の各半径面部４１１の対応穴４１２を対応させた状態で、各ナット収納穴４１４にナット４３を収納してから、表裏方向貫通孔２５を介して対応穴４１２に挿通させたねじ４４をナット４３のねじ孔４３１に螺着することで、当該柵部材２，２の他方の幅方向端２１，２１側に扇状連結部材４１を締結している。このとき、各ナット４３の頭部をその溝４３２に装填したドライバーなどにより回転させることで、対応穴４１２にねじ孔４３１を合致させて当該ねじ孔４３１に対するねじ４４の螺着を可能にしている。この場合、ねじ４４は、柵部材２，２の他方の幅方向端２１，２１側の横杆２３の表裏方向貫通孔２５及び対応穴４１２を介してナット４３のねじ孔４３１に螺着可能な長さに設定されている。
【００２９】
また、図１及び図２に示すように、サークル本体１０Ａの直線部１１ｂの各柵部材２のうち、直線部１１ｄ側の柵部材２は、出入口用柵部材６に置換されている。この出入口用柵部材６は、左右の縦杆６２，６２と、これらの縦杆６２，６２の下端を連結する横杆６３とからなる略コ字状の枠体６０を備えているとともに、この枠体６０により形成された出入口６８を開閉する扉６９を備えている。出入口用柵部材６の各縦杆６２は、柵部材２の各縦杆２２よりも幅広（例えば２倍の幅）に形成され、当該各縦杆６２の上下両端部に開口する表裏方向貫通孔２５を備えている。また、扉６９は、枠体６０の一方の縦杆６２にヒンジ金具（図示せず）を介して揺動自由に支持されている。この場合、出入口用柵部材６においても、各縦杆６２の外方端がそれぞれ幅方向端２１，２１となる。
【００３０】
そして、サークル本体１０Ａには、サークル本体１０Ａの直線部１１ｂの出入口用柵部材６の外側に新たに囲繞された拡張空間５０Ａを形成する略コ字状のサークル拡張体５Ａが連設されている。このサークル拡張体５Ａは４枚の柵部材５，５，…により構成され、各柵部材５は、サークル本体１０Ａの各柵部材２の枠体２０と同一構成の枠体５０を備えている。この枠体５０は、断面略矩形状の左右の縦杆２２，２２と、これらの縦杆２２，２２の互いに向き合う対向面の上下両端をそれぞれ連結する断面略矩形状の上下の横杆２３，２３とで構成されている。サークル拡張体５Ａは、２枚の柵部材５，５の一方の幅方向端２１，２１同士を直線状に連結した直線部５１と、この直線部５１の各柵部材５の他方の幅方向端２１，２１に対しそれぞれ１枚の柵部材５，５の一方の幅方向端２１，２１が直角に連結された角部５２，５２とによって平面視で略コ字状に形成されている。そして、サークル拡張体５Ａには、その各柵部材５の枠体５０内を不透明に目隠しする木製のパネル材５６が取り付けられている。また、サークル本体１０Ａの各柵部材２のうちの拡張空間５０Ａと対面する直線部１１ｂの双方の柵部材２，６の枠体２０，６０内にも、柵棒体２４に代えて木製のパネル材５６がそれぞれ取り付けられている。なお、パネル材５６としては、合成樹脂などにより成形された半透明又は不透明のパネル材が適用されていてもよい。
【００３１】
図６はサークル拡張体５Ａの左右両端に位置する柵部材５，５の他方の幅方向端２１，２１とサークル本体１０Ａの直線部１１ｃ，１１ｄの各柵部材２のうちの直線部１１ｂ側の柵部材２，２の他方の幅方向端２１，２１とを縦杆用締結具によって連結した状態での横断平面図を示している。この図６において、サークル拡張体５Ａの左右両端に位置する柵部材２，２の他方の幅方向端２１，２１は、サークル本体１０Ａの直線部１１ｃ，１１ｄの各柵部材２，２のうちの直線部１１ｂ側の柵部材２，２の他方の幅方向端２１，２１に対し、それぞれ互いに向き合う縦杆２２，２２の表裏両側辺２１１，２１２同士をそれぞれ突き合わせた状態つまり互いに向き合う柵部材２，５の他方の幅方向端側の縦杆２２，２２の対向面同士を突き合わせた状態で縦杆用締結具３４により連結されている。
【００３２】
縦杆用締結具３４は、長尺材用締結具３３と同様に、直線部用固定具３に備えられている。そして、縦杆用締結具３４は、長さ方向一端に回転操作用フランジ３５１を備えた螺子軸３５２と、長さ方向一端に回転操作用フランジ３５３を有し、かつ螺子軸３５２を螺合可能とする螺子筒３５４とを備えている。そして、サークル拡張体５Ａをサークル本体１０Ａに取り付けるに当たり、該当するサークル本体１０Ａの直線部１１ｃ，１１ｄの各柵部材２のうちの直線部１１ｂ側の柵部材２，２の他方の幅方向端２１，２１の対向面に対し、サークル拡張体５Ａの左右方向端に位置する各柵部材５，５の他方の幅方向端２１，２１の対向面を互いに突き合わせて互いの幅方向貫通孔２６，２６を対応させた状態で、一方の幅方向貫通孔２６から螺子軸３５２を挿通し、他方の幅方向貫通孔２６から挿通した螺子筒３５４に螺合することで、当該双方の柵部材２，５の他方の幅方向端２１，２１側の縦杆２２，２２同士を締結している。
【００３３】
また、サークル本体１０Ａの各柵部材２のうち、拡張空間５０Ａとは非対面となる直線部１１ｄの両柵部材２，２のうちの直線部１１ａ側の柵部材２は、出入口用柵部材６に置換されている。
【００３４】
サークル拡張体５Ａは、その上方へ開口する開口部５７Ａを閉塞するための２枚の屋根部材７，７を備え、拡張空間５０Ａ内からのペットの飛び出しや、拡張空間５０Ａ外からの他のペットの侵入を防止している。各屋根部材７は、表裏方向貫通孔２５を四隅に有する各柵部材２の枠体２０と同一の枠体７０を備えている。この枠体７０は、断面略矩形状の左右の縦杆２２，２２と、これらの縦杆２２，２２の互いに向き合う対向面の上下両端をそれぞれ連結する断面略矩形状の上下の横杆２３，２３と、からなる。また、屋根部材７は、サークル拡張体５Ａの開口部５７Ａを閉塞するに必要な２枚を組み合わせた状態で、角部用固定具４の扇状連結部材４１及び直線部用固定具３の長尺材３２の上面に対し枠体７０が載置され、サークル拡張体５Ａの内側に沿って設置されている。この屋根部材７の枠体７０にも、柵棒体２４，２４，…が設けられている。
【００３５】
図７は屋根部材７を固定する固定具付近の斜視図であって、（ａ）は屋根部材７の外方へ固定具の平ゴムを引っ張った状態を示し、（ｂ）は引っ張った平ゴムを下方へ引き延ばした状態を示し、（ｃ）は平ゴム先端のＤカンを係合片に係合させた状態を示している。この図７において、２枚の屋根部材７，７は、サークル拡張体５Ａに対し脱着自在な固定具８を介して固定されている。この固定具８は、柵部材２，５の枠体２０，５０に固定され、かつフック状の係合片８１を有する環状の第１部材８２と、屋根部材７の枠体７０に固定された環状の第２部材８３と、この第２部材８３に基端が取り付けられ、第１部材８２の係合片８１に係脱自在に係合する係合部としてのＤカン８４を先端に備えた平ゴム８５と、Ｄカン８４の反平ゴム８５側に止着された操作ベルト８０とを備えている。そして、第１部材８２は、柵部材２，５の枠体２０，５０の表裏方向貫通孔２５，２５に対応する対応孔（図示せず）を中心部に備え、この柵部材２，５の枠体２０，５０の表裏方向貫通孔２５，２５に挿通される長尺材用締結具３３が対応孔にも挿通されて当該長尺材用締結具３３により共締めされている。一方、第２部材８３は、屋根部材７の枠体７０の表裏方向貫通孔２５に対応する直線部用対応孔としての対応孔（図示せず）を中心部に備え、この屋根部材７の枠体７０の表裏方向貫通孔２５に挿通される締結具８８が対応孔にも挿通されて当該締結具８８により共締めされている。また、固定具８は、２枚の屋根部材７，７のうちの一方の屋根部材７（図２では下側の屋根部材）の一方の縦杆２２（図２では下側の縦杆）の両端にそれぞれ設けられ、他方の屋根部材７（図２では上側の屋根部材）の枠体７０の四隅にそれぞれ設けられている。そして、２枚の屋根部材７，７のうちの一方の屋根部材７が、サークル拡張体５Ａに対する固定具８の固定解除によって、他方の屋根部材７に対しヒンジなどの開閉具（図示せず）を介して開閉自在に支持されている。
【００３６】
したがって、本実施の形態では、サークル本体１０Ａの直線部１１ｂの出入口用柵部材６の外側に新たな拡張空間５０Ａを形成する略コ字状のサークル拡張体５Ａの左右両端に位置する柵部材５，５の他方の幅方向端２１，２１が、サークル本体１０Ａの直線部１１ｃ，１１ｄの両柵部材２，２のうちの直線部１１ｂ側の柵部材２，２に対し、互いに向き合う縦杆２２，２２の対向面同士を突き合わせた状態で縦杆用締結具３４によって連結されているので、サークル本体１０Ａのサークル空間１００Ａの外側に出入口用柵部材６によって出入り可能な新たな拡張空間５０Ａを簡単に連設することができる。よって、複数のペットを収容した際のペット同士の接触を回避することができるとともに、単数のペットを収容した際のペットの躾を効果的に行うことができる。しかも、出入口用柵部材６によってサークル空間１００Ａと拡張空間５０Ａとの出入りをスムーズに行うことができる。
【００３７】
また、サークル本体１０Ａの各柵部材２のうちの拡張空間５０Ａとは非対面となる直線部１１ｄの両柵部材２，２のうちの直線部１１ａ側の柵部材２が出入口用柵部材６に置換されているので、サークル空間１００Ａ内外への出入りをスムーズに行うことができる。
【００３８】
また、サークル本体１０Ａの各柵部材２と同一の枠体７０を備えた屋根部材７が、サークル拡張体５Ａの扇状連結部材４１及び長尺材３２の上面に載置され、サークル拡張体５Ａに対し固定具８，８，…を介して脱着自在に固定されているので、拡張空間５０Ａに入れたペットを確実に隔離することができる。
【００３９】
また、拡張空間５０Ａの開口部５７Ａを閉塞する２枚の屋根部材７，７のうちの一方の屋根部材７が、サークル拡張体５Ａに対する固定具８の固定解除によって、他方の屋根部材７に対し開閉具を介して開閉するので、開口部５７Ａを２枚で閉塞した屋根部材７，７を全て取り外さなくても開口部５７Ａの開閉が行え、一方の屋根部材７の固定具８の固定解除によって簡単に開口部５７Ａを開閉することができる。
【００４０】
更に、サークル拡張体５Ａの各柵部材５の枠体５０と、サークル本体１０Ａの各柵部材２のうちの拡張空間５０Ａと対面する直線部１１ｂの双方の柵部材２，６の枠体２０，６０内を不透明に目隠しするパネル材５６が設けられているので、拡張空間５０Ａ内が外方から目隠しされ、拡張空間５０Ａ内での視野に入れたくないペットの所作を効率よく隠すことができる。
【００４１】
なお、本実施の形態では、サークル本体１０Ａの各柵部材２のうち、拡張空間５０Ａと対面する直線部１１ｂの一方の柵部材２と、拡張空間５０Ａとは非対面となる直線部１１ｄの一方の柵部材２とを、それぞれ出入口用柵部材６に置換したが、図８に示すように、ペット用サークル１Ｂのサークル空間１００Ｂを囲繞する各柵部材２のうち、直線部１１ｂの一方の柵部材２のみが出入口用柵部材６に置換されていてもよい。この場合には、出入口用柵部材６によってサークル空間１００Ｂとサークル拡張体５Ｂよりなる拡張空間５０Ｂとの出入りのみをスムーズに行うことができる。
【００４２】
また、図９に示すように、ペット用サークル１Ｃのサークル本体１０Ｃの拡張空間５０Ｃと対面する直線部１１ｂの一方の柵部材２と、拡張空間５０Ｃとは非対面となる直線部１１ｄの一方の柵部材２とに加え、拡張空間５０Ｃの直線部５１の一方の柵部材５（図９では上側の柵部材）が、それぞれ出入口用柵部材６に置換されていてもよい。この場合には、サークル拡張体５Ｂよりなる拡張空間５０Ｃ内外への出入りもスムーズに行うことができる。
【００４３】
次に、本発明の第２の実施の形態を図１０及び図１１に基づいて説明する。
【００４４】
この実施の形態では、ペット用サークルの構成の一部を変更している。なお、ペット用サークルの構成要件は、前記第１の実施の形態の場合と同じであり、同一の部分については同じ符号を付してその詳細な説明は省略する。図１０は本発明の第２の実施の形態に係るペット用サークルの平面図、図１１はペット用サークルの斜視図をそれぞれ示している。
【００４５】
すなわち、本実施の形態では、図１０及び図１１において符号１Ｄで示すペット用サークルは、縦方向（図１０では上下方向）に配した１枚の横長柵部材９からなる直線部１１ａと、縦方向で柵部材２と補助柵部材９Ａとを直線状に連結した直線部１１ｂと、横方向（図１０では左右方向）に配した２枚の柵部材２，２の一方の幅方向端２１，２１同士を直線状に連結した直線部１１ｃ，１１ｄとからなるサークル本体１０Ｄを備えている。横長柵部材９は、左右一対の縦杆２２，２２と、これらの縦杆２２，２２の互いに向き合う対向面の上下両端をそれぞれ連結する断面略矩形状の上下の横杆９３，９３とからなる枠体９０を備えている。また、補助柵部材９Ａは、左右一対の縦杆２２，２２と、これらの縦杆２２，２２の互いに向き合う対向面の上下両端をそれぞれ連結する断面略矩形状の上下の横杆９３Ａ，９３Ａとからなる枠体９０Ａを備えている。
【００４６】
横長柵部材９の各横杆９３は、柵部材２の各横杆２３の長さのほぼ１．５倍の長さに設定されている。この横長柵部材９の枠体９０の四隅（隅部）には、上下の横杆９３，９３の左右両端を当該横長柵部材９の表裏方向（図１０では左右方向）に貫通する表裏方向貫通孔２５が設けられている。一方、補助柵部材９Ａの横杆９３Ａは、柵部材２の各横杆２３のほぼ半分の長さに設定されている。この補助柵部材９Ａの枠体９０Ａの四隅（隅部）にも、上下の横杆９３Ａ，９３Ａの左右両端を当該補助柵部材９Ａの表裏方向（図１０では左右方向）に貫通する表裏方向貫通孔２５が設けられている。
【００４７】
サークル本体１０Ｄの直線部１１ｃ，１１ｄの各柵部材２の一方の幅方向端２１，２１同士及び直線部１１ｂの柵部材２及び補助柵部材９Ａの一方の幅方向端２１，２１同士は、直線部用固定具３の長尺材３２により直線状に連結されている。また、サークル本体１０Ｄの直線部１１ａの横長柵部材９の双方の幅方向端２１，２１と、直線部１１ｃ，１１ｄの各柵部材２の他方の幅方向端２１，２１と、直線部１１ｂの柵部材２及び補助柵部材９Ａの他方の幅方向端２１，２１とは、それぞれ角部１２において角部用固定具４の扇状連結部材４１により直角に連結されている。この場合、各柵部材２の枠体２０と補助柵部材９Ａの枠体９０Ａとを直線状に連結した直線部１１ｂの幅方向の長さは、横長柵部材９の枠体９０による直線部１１ａの幅方向の長さと一致している。
【００４８】
また、サークル本体１０Ｄの直線部１１ｂの柵部材２は、出入口用柵部材６に置換されている。そして、サークル本体１０Ｄには、直線部１１ｂの出入口用柵部材６の外側に新たに囲繞された拡張空間５０Ｄを形成する略コ字状のサークル拡張体５Ｄが連設されている。このサークル拡張体５Ｄは、１枚の横長柵部材９と、この横長柵部材９の双方の幅方向端２１，２１の角部５２，５２においてそれぞれ一方の幅方向端２１，２１が角部用固定具４の扇状連結部材４１により直角に連結された２枚の柵部材５，５とからなる。サークル拡張体５Ｄの各柵部材５，９には、それぞれの枠体５０，９０内を不透明に目隠しする木製のパネル材５６が取り付けられている。また、サークル本体１０Ｄの各柵部材２のうちの拡張空間５０Ｄと対面する直線部１１ｂの出入口用柵部材６及び補助柵部材９Ａの枠体６０，９０Ａ内にも、木製のパネル材５６がそれぞれ取り付けられている。なお、サークル本体１０Ｄの直線部１１ａ，１１ｃ，１１ｄの各柵部材２，９の枠体２０，９０内には、柵棒体２４，２４，…が設けられている。
【００４９】
サークル拡張体５Ｄの左右両端に位置する各柵部材５の他方の幅方向端２１，２１は、サークル本体１０Ｄの直線部１１ｃ，１１ｄにおいて互いに相隣なる双方の柵部材２，２のうちの直線部１１ｂ側の各柵部材２の他方の幅方向端２１，２１に対し、それぞれ互いに向き合う縦杆２２，２２の表裏両側辺２１１，２１２同士を突き合わせた状態つまり互いに向き合う縦杆２２，２２の対向面同士を突き合わせた状態で縦杆用締結具３４により連結されている。
【００５０】
また、サークル本体１０Ｄの各柵部材２のうち、拡張空間５０Ｄとは非対面となる直線部１１ｄの両柵部材２，２のうちの直線部１１ａ側の柵部材２は、出入口用柵部材６に置換されている。
【００５１】
サークル拡張体５Ｄは、その上方へ開口する開口部５７Ｄを閉塞するための１枚の屋根部材９９を備え、拡張空間５０Ｄ内からのペットの飛び出しや、拡張空間５０Ｄ外からの他のペットの侵入を防止している。屋根部材９９は、表裏方向貫通孔２５を四隅に有する横長柵部材９と同一の枠体９０を備えている。また、屋根部材９９は、角部用固定具４の扇状連結部材４１及び直線部用固定具３の長尺材３２の上面に対し枠体９０が載置され、サークル拡張体５Ｄの内側に沿って設置されている。そして、屋根部材９９は、サークル拡張体５Ｄに対し脱着自在な固定具８を介して固定されている。この固定具８は、屋根部材９９の枠体９０の四隅にそれぞれ設けられている。
【００５２】
したがって、本実施の形態においても、サークル本体１０Ｄの直線部１１ｂの出入口用柵部材６の外側に新たな拡張空間５０Ｄを形成する略コ字状のサークル拡張体５Ｄの左右両端に位置する柵部材５，５の他方の幅方向端２１，２１が、サークル本体１０Ｄの直線部１１ｃ，１１ｄの両柵部材２，２のうちの直線部１１ｂ側の各柵部材２，２の他方の幅方向端２１，２１に対し、互いに向き合う縦杆２２，２２の対向面同士を突き合わせた状態で縦杆用締結具３４によって連結されているので、サークル本体１０Ｄのサークル空間１００Ｄの外側に出入口用柵部材６によって出入り可能な新たな拡張空間５０Ｄを簡単に連設することができる。よって、複数のペットを収容した際のペット同士の接触を回避することができるとともに、単数のペットを収容した際のペットの躾を効果的に行うことができる。しかも、出入口用柵部材６によってサークル空間１００Ｄと拡張空間５０Ｄとの出入りをスムーズに行うことができる。
【００５３】
また、サークル本体１０Ｄの各柵部材２のうちの拡張空間５０Ｄとは非対面となる直線部１１ｄの両柵部材２，２のうちの一方の柵部材２が出入口用柵部材６に置換されているので、サークル空間１００Ｄ内外への出入りをスムーズに行うことができる。
【００５４】
また、サークル本体１０Ｄの横長柵部材９と同一の枠体９０を備えた屋根部材９９が、サークル拡張体５Ｄの扇状連結部材４１及び長尺材３２の上面に載置され、サークル拡張体５Ｄに対し固定具８を介して脱着自在に固定されているので、拡張空間５０Ｄに入れたペットを確実に隔離することができる。
【００５５】
更に、サークル拡張体５Ｄの各柵部材５及び横長柵部材９の枠体５０，９０と、拡張空間５０Ｄと対面する直線部１１ｂの出入口用柵部材６及び補助柵部材９Ａの枠体６０，９０Ａ内とをそれぞれ不透明に目隠しするパネル材５６が設けられているので、拡張空間５０Ｄ内が外方から目隠しされ、拡張空間５０Ｄ内での視野に入れたくないペットの所作を効率よく隠すことができる。
【００５６】
なお、本実施の形態では、サークル本体１０Ｄの各柵部材２のうち、拡張空間５０Ｄと対面する直線部１１ｂの柵部材２と、拡張空間５０Ｄとは非対面となる直線部１１ｄの一方の柵部材２とを、出入口用柵部材６に置換したが、図１２に示すように、ペット用サークル１Ｅのサークル空間１００Ｅを囲繞する各柵部材２，９，９Ａのうち、サークル本体１０Ｅの直線部１１ｂの柵部材２のみが出入口用柵部材６に置換されていてもよい。この場合には、出入口用柵部材６によってサークル空間１００Ｅとサークル拡張体５Ｅよりなる拡張空間５０Ｅとの出入りのみをスムーズに行うことができる。
【００５７】
また、図１３に示すように、ペット用サークル１Ｆのサークル本体１０Ｆの拡張空間５０Ｆと対面する直線部１１ｂの柵部材２と、拡張空間５０Ｆとは非対面となる直線部１１ｄの一方の柵部材２とに加え、拡張空間５０Ｆの直線部５１の横長柵部材９に代えた補助柵部材９Ａと柵部材５とのうちの柵部材５（図９では上側の柵部材）が、それぞれ出入口用柵部材６に置換されていてもよい。この場合には、サークル空間１００Ｆとサークル拡張体５Ｆよりなる拡張空間５０Ｆとの出入り、サークル空間１００Ｆ内外への出入りに加え、拡張空間５０Ｆ内外への出入りもスムーズに行うことができる。
【００５８】
次に、本発明の第３の実施の形態を図１４に基づいて説明する。
【００５９】
この実施の形態では、ペット用サークルの構成を変更している。なお、ペット用サークルの構成要件は、前記第１の実施の形態の場合と同じであり、同一の部分については同じ符号を付してその詳細な説明は省略する。図１４は本発明の第３の実施の形態に係るペット用サークルの平面図を示している。
【００６０】
すなわち、本実施の形態では、図１４において符号１Ｇで示すペット用サークルは、４枚の柵部材２，２，…のうちの互いに相隣なる柵部材２，２の幅方向端２１，２１同士の裏側辺２１２のみを互いに突き合わせた状態で角部用固定具４により連結された平面視で略矩形枠状のサークル本体１０Ｇを備えている。サークル本体１０Ｇの直線部１１ａ〜１１ｄは、それぞれ１枚ずつの柵部材２によって形成されている。この各柵部材２のうち、直線部１１ｃの柵部材２が、出入口用柵部材６に置換されている。
【００６１】
サークル本体１０Ｇには、その出入口用柵部材６の外側に新たに囲繞された拡張空間５０Ｇを形成するサークル拡張体５Ｇが連設されている。このサークル拡張体５Ｇは、サークル本体１０Ｇの直線部１１ａ，１１ｃの外側において当該各直線部１１ａ，１１ｃとそれぞれ平行に配された２枚の柵部材５，５の一方の幅方向端２１，２１同士をそれぞれ直線部用固定具３によって連結した直線部５１ａ，５１ｃと、それぞれ１枚の柵部材５よりなる直線部５１ｂ，５１ｄとを備えている。直線部５１ａ，５１ｃは、その各柵部材５のうちの互いに相隣なる柵部材５，５の一方の幅方向端２１，２１同士が角部用固定具４によって連結されて平面視で略Ｌ字状に形成されている。直線部５１ａ，５１ｃの各柵部材５のうちの直線部５１ｂ，５１ｄ側の柵部材５の他方の幅方向端２１，２１と、直線部５１ｂ，５１ｄの柵部材５の一方の幅方向端２１，２１とは、角部用固定具４により連結されている。
【００６２】
そして、サークル拡張体５Ｇの左右両端に位置する柵部材５，５の他方の幅方向端２１，２１は、サークル本体１０Ｇの直線部１１ｂ，１１ｄの柵部材２，２に対し、それぞれ互いに向き合う縦杆２２，２２の表裏両側辺２１１，２１２同士を突き合わせた状態つまり互いに向き合う縦杆２２，２２の対向面同士を突き合わせた状態で、縦杆用締結具３４により連結されている。
【００６３】
また、サークル拡張体５Ｇの直線部５１ｄの柵部材５は、出入口用柵部材６に置換されている。更に、サークル本体１０Ｇには、その各柵部材２，６の枠体２０，６０内を不透明に目隠しする木製のパネル材（図示せず）が取り付けられている。
【００６４】
サークル拡張体５Ｇは、その上方へ開口する開口部（図示せず）を閉塞するための３枚の屋根部材（図示せず）を備え、拡張空間５０Ｇ内からのペットの飛び出しや、拡張空間５０Ｇ外からの他のペットの侵入を防止している。そして、各屋根部材は、サークル拡張体５Ｇに対し脱着自在な固定具（図示せず）を介して固定されている。この場合、各屋根部材は、サークル拡張体５Ｇの柵部材５と同一の枠体を備えている。
【００６５】
したがって、本実施の形態においても、サークル本体１０Ｇの直線部１１ｃの出入口用柵部材６の外側に新たな拡張空間５０Ｇを形成するサークル拡張体５Ｇの左右両端に位置する柵部材５，６の他方の幅方向端２１，２１が、サークル本体１０Ｇの直線部１１ｂ，１１ｄの柵部材２，２の他方の幅方向端２１，２１に対し、互いに向き合う縦杆２２，２２の対向面同士を突き合わせた状態で縦杆用締結具３４によって連結されているので、サークル本体１０Ｇのサークル空間１００Ｇの外側に出入口用柵部材６によって出入り可能な新たな拡張空間５０Ｇを簡単に連設することができる。よって、複数のペットを収容した際のペット同士の接触を回避することができるとともに、単数のペットを収容した際のペットの躾を効果的に行うことができる。しかも、サークル本体１０Ｇの直線部１１ａの出入口用柵部材６によってサークル空間１００Ｇと拡張空間５０Ｇとの出入りをスムーズに行うことができる。更に、サークル拡張体５Ｇの直線部５１ｄの出入口用柵部材６によって拡張空間５０Ｇ内外への出入りをスムーズに行うことができる。
【００６６】
また、サークル拡張体５Ｇの柵部材５と同一の枠体を備えた屋根部材が、サークル拡張体５Ｇの扇状連結部材４１及び長尺材３２の上面に載置されて開口部を閉塞しているので、拡張空間５０Ｇに入れたペットを確実に隔離することができる。
【００６７】
更に、サークル本体１０Ｇの各柵部材２，６の枠体２０，６０内を不透明に目隠しするパネル材が設けられているので、サークル空間１００Ｇ内が外方から目隠しされ、サークル空間１００Ｇ内での視野に入れたくないペットの所作を効率よく隠すことができる。
【００６８】
なお、本実施の形態では、サークル本体１０Ｇの各柵部材２のうち、拡張空間５０Ｇと対面する直線部１１ｃの柵部材２と、サークル拡張体５Ｇの直線部５１ｄの柵部材５とを、それぞれ出入口用柵部材６に置換したが、図１５に示すように、ペット用サークル１Ｈのサークル本体１０Ｈの拡張空間５０Ｈと対面する直線部１１ｃの柵部材２と、サークル拡張体５Ｈの直線部５１ｄの柵部材５とに加え、サークル本体１０Ｈの各柵部材２のうちの拡張空間５０Ｈとは非対面となる直線部１１ｄの柵部材２が、それぞれ出入口用柵部材６に置換されていてもよい。この場合には、サークル空間１００Ｈと拡張空間５０Ｈとの出入り、拡張空間５０Ｈ内外への出入りに加え、サークル空間１００Ｈ内外への出入りもスムーズに行うことができる。
【００６９】
また、ペット用サークルのサークル本体の拡張空間と対面する直線部の柵部材のみが出入口用柵部材に置換されていてもよい。この場合には、サークル空間と拡張空間との出入りをスムーズに行うことができる。
【００７０】
次に、本発明の第４の実施の形態を図１６に基づいて説明する。
【００７１】
この実施の形態では、ペット用サークルの構成を変更している。なお、ペット用サークルの構成要件は、前記第１の実施の形態の場合と同じであり、同一の部分については同じ符号を付してその詳細な説明は省略する。図１６は本発明の第４の実施の形態に係るペット用サークルの平面図を示している。
【００７２】
すなわち、本実施の形態では、図１６において符号１Ｊで示すペット用サークルは、４枚の柵部材２，２，…のうちの互いに相隣なる柵部材２，２の幅方向端２１，２１同士の裏側辺２１２のみを互いに突き合わせた状態で角部用固定具４により連結された平面視で略矩形枠状のサークル本体１０Ｊを備えている。サークル本体１０Ｊの直線部１１ａ〜１１ｄは、それぞれ１枚ずつの柵部材２によって形成されている。この各柵部材２のうち、直線部１１ｃの柵部材２が、出入口用柵部材６に置換されている。
【００７３】
サークル本体１０Ｊには、その出入口用柵部材６の外側に新たに囲繞された拡張空間５０Ｊを形成するサークル拡張体５Ｊが連設されている。このサークル拡張体５Ｊは、サークル本体１０Ｊの直線部１１ａ，１１ｂの外側において当該各直線部１１ａ，１１ｂとそれぞれ平行に配された２枚の柵部材５，５のうちの一方の幅方向端２１，２１同士をそれぞれ直線部用固定具３によって連結した直線部５１ａ，５１ｂと、この直線部５１ａ，５１ｂの各柵部材５のうちの一方の柵部材５（図１６では上側の柵部材５）の他方の幅方向端２１（図１６では上側）にそれぞれ角部用固定具４により連結された３枚の柵部材５よりなる直線部５１ｃと、直線部５１ａ，５１ｃの各柵部材５のうちの他方の柵部材５（図１６では下側の柵部材５）の他方の幅方向端２１（図１６では下側）にそれぞれ角部用固定具４により連結された互いに離間する２枚の柵部材５，５よりなる直線部５１ｄとを備えている。直線部５１ｃの各柵部材５のうちの互いに相隣なる柵部材５，５の一方の幅方向端２１，２１同士は、それぞれ直線部用固定具３によって連結されている。この場合、直線部５１ｃの各柵部材５のうちの左右方向一端側における柵部材５は、その一方の幅方向端２１が中央の柵部材５の他方の幅方向端２１に対し直線部用固定具３によって連結されている。
【００７４】
そして、サークル拡張体５Ｊの左右方向両端に位置する柵部材５，５（直線部５１ｄにおいて互いに離間する各柵部材５，５）の他方の幅方向両端２１，２１は、サークル本体１０Ｊの直線部１１ｄの柵部材２の双方の幅方向端２１，２１に対し、それぞれ互いに向き合う縦杆２２，２２の表裏両側辺２１１，２１２同士を突き合わせた状態つまり互いに向き合う縦杆２２，２２の対向面同士を突き合わせた状態で縦杆用締結具３４により連結されている。
【００７５】
また、サークル拡張体５Ｊの直線部５１ｄの各柵部材５のうちの直線部５１ｂ側の柵部材５が、出入口用柵部材６に置換されている。
【００７６】
サークル拡張体５Ｊは、その上方へ開口する開口部（図示せず）を閉塞するための５枚の屋根部材（図示せず）を備え、拡張空間５０Ｊ内からのペットの飛び出しや、拡張空間５０Ｊ外からの他のペットの侵入を防止している。そして、各屋根部材は、サークル拡張体５Ｊに対し脱着自在な固定具（図示せず）を介して固定されている。この場合、各屋根部材は、サークル拡張体５Ｊの柵部材５と同一の枠体を備えている。
【００７７】
したがって、本実施の形態においても、サークル本体１０Ｊの出入口用柵部材６の外側に新たな拡張空間５０Ｊを形成するサークル拡張体５Ｊの左右両端に位置する柵部材５，５の他方の幅方向端２１，２１が、サークル本体１０Ｊの直線部１１ｄの柵部材２の幅方向両端２１，２１に対し、互いに向き合う縦杆２２，２２の対向面同士を突き合わせた状態で縦杆用締結具３４によって連結されているので、サークル本体１０Ｊのサークル空間１００Ｊの外側に出入口用柵部材６によって出入り可能な新たな拡張空間５０Ｊを簡単に連設することができる。よって、複数のペットを収容した際のペット同士の接触を回避することができるとともに、単数のペットを収容した際のペットの躾を効果的に行うことができる。しかも、サークル本体１０Ｊの直線部１１ｃの出入口用柵部材６によってサークル空間１００Ｊと拡張空間５０Ｊとの出入りをスムーズに行うことができる。更に、サークル拡張体５Ｊの直線部５１ｄの出入口用柵部材６によって拡張空間５０Ｊ内外への出入りをスムーズに行うことができる。
【００７８】
また、サークル拡張体５Ｊの柵部材５と同一の枠体を備えた屋根部材が、サークル拡張体５Ｊの扇状連結部材４１及び長尺材３２の上面に載置されて開口部を閉塞しているので、拡張空間５０Ｊに入れたペットを確実に隔離することができる。
【００７９】
なお、本実施の形態では、サークル本体１０Ｊの各柵部材２のうち、拡張空間５０Ｊと対面する直線部１１ｃの柵部材２と、サークル拡張体５Ｊの直線部５１ｄの柵部材５とを、それぞれ出入口用柵部材６に置換したが、図１７に示すように、ペット用サークル１Ｋのサークル本体１０Ｋの拡張空間５０Ｋと対面する直線部１１ｃの柵部材２と、サークル拡張体５Ｋの直線部５１ｄの柵部材５とに加え、拡張空間５０Ｋとは非対面となる直線部１１ｄの柵部材２が、それぞれ出入口用柵部材６に置換されていてもよい。この場合には、サークル空間１００Ｋと拡張空間５０Ｋとの出入り、拡張空間５０Ｋ内外への出入りに加え、サークル空間１００Ｋ内外への出入りもスムーズに行うことができる。
【００８０】
また、ペット用サークルのサークル本体の拡張空間と対面する直線部の柵部材のみが出入口用柵部材に置換されていてもよい。この場合には、サークル空間と拡張空間との出入りをスムーズに行うことができる。
【００８１】
次に、本発明の第５の実施の形態を図１８〜図２０に基づいて説明する。
【００８２】
この実施の形態では、ペット用サークルの構成を変更している。なお、ペット用サークルの構成要件は、前記第１の実施の形態の場合と同じであり、同一の部分については同じ符号を付してその詳細な説明は省略する。
【００８３】
図１８は本発明の第５の実施の形態に係るペット用サークルの平面図、図１９はペット用サークルのサークル本体の直線部において互いに相隣なる双方の柵部材の一方の幅方向端同士を連結する直線部用固定具の分解斜視図、図２０はペット用サークルのサークル本体の直線部において互いに相隣なる双方の柵部材の一方の幅方向端同士を縦杆用締結具によって連結している状態の横断平面図をそれぞれ示している。
【００８４】
すなわち、本実施の形態では、図１８において符号１Ｌで示すペット用サークルは、サークル本体１０Ｌの内方へ凹む凹部５１Ｌを有している。この凹部５１Ｌは、サークル本体１０Ｌの直線部１１ａ〜１１ｄのうちの互いに隣接する２つの直線部１１ｂ，１１ｄに跨って設けられている。サークル本体１０Ｌは、２枚の柵部材２，２の一方の幅方向端２１，２１同士をそれぞれ直線部用固定具３によって連結した直線部１１ａ，１１ｃと、この直線部１１ａ，１１ｃの各柵部材２のうちの互いに離反する他方の柵部材２，２の他方の幅方向端２１にそれぞれ角部用固定具４を介して一方の幅方向端２１がそれぞれ連結された１枚の柵部材２よりなる直線部１１ｂ，１１ｄと、この直線部１１ｂ，１１ｄの柵部材２の他方の幅方向端２１にそれぞれ角部用固定具４を介して一方の幅方向端２１が連結され、他方の幅方向端２１同士が角部用固定具４を介して連結された２枚の柵部材２，２よりなる凹部５１Ｌとを備えている。直線部１１ａ，１１ｃの各柵部材２のうちの互いに隣接する一方の柵部材２，２の幅方向端２１，２１同士は、角部用固定具４を介して連結されている。
【００８５】
また、図１９及び図２０にも示すように、サークル本体１０Ｌの２つの直線部１１ａ，１１ｃ上の柵部材２，２同士の間には、断面略矩形状の縦杆部材４５がそれぞれ介設されている。この各縦杆部材４５は、凹部５１Ｌを形成する１組の柵部材２，２の表裏方向の厚みによって増大する縦方向又は横方向への増大分の長さに相当する長さとなるように柵部材２，２の表裏方向の厚みと同じ幅方向の長さに設定されている。そして、各縦杆部材４５の上下両端部には、各柵部材２の縦杆２２の幅方向貫通孔２６に対応してそれぞれ幅方向に貫通する幅方向貫通孔５４１（図２０では上側のみ示す）が設けられている。また、サークル本体１０Ｌの凹部５１Ｌの各柵部材２のうちの直線部１１ｂ側の柵部材２と、直線部１１ｄの柵部材２とは、それぞれ出入口用柵部材６に置換されている。
【００８６】
サークル本体１０Ｌの直線部１１ａ，１１ｃ上において縦杆部材４５を挟んで互いに相隣なる双方の柵部材２，２の幅方向端２１，２１同士を固定する長尺材３２及び縦杆用締結具３４は、縦杆部材４５を挟んで互いに相隣なる双方の柵部材２，２の縦杆２２の幅方向貫通孔２６，２６に縦杆用締結具３４を挿通する上で、縦杆部材４５の幅方向の長さ分だけ長尺に形成されている。
【００８７】
そして、サークル本体１０Ｌには、凹部５１Ｌの出入口用柵部材６の外側に新たに囲繞された拡張空間５０Ｌを形成するサークル拡張体５Ｌが連設されている。このサークル拡張体５Ｌは、２つの柵部材５，５の互いに相隣なる一方の幅方向端２１，２１同士を角部５２において角部用固定具４により連結して略Ｌ字状に形成されている。また、サークル拡張体５Ｌの各柵部材５の他方の幅方向端２１，２１は、サークル本体１０Ｌの直線部１１ｂ，１１ｄの柵部材２，６の幅方向端２１，２１に対し、それぞれ互いに向き合う縦杆２２，６２の対向面同士を突き合わせた状態で、縦杆部材４５を介して縦杆用締結具３４により連結されている。そして、ペット用サークル１Ｌは、サークル本体１０Ｌの凹部５１Ｌがサークル拡張体５Ｌによって塞がれている。また、サークル拡張体５Ｌの直線部５１ｄの柵部材５は、出入口用柵部材６に置換されている。この場合、サークル本体１０Ｌの直線部１１ｄ上及びサークル拡張体５Ｌの直線部５１ｄ上において縦杆部材４５を挟んで互いに相隣なる双方の柵部材２，６の幅方向端２１，２１同士を固定する長尺材３２及び縦杆用締結具３４は、縦杆部材４５を挟んで互いに相隣なる双方の柵部材２，６の縦杆２２，６２の幅方向貫通孔２６，２６に縦杆用締結具３４を挿通する上で、縦杆部材４５の幅方向の長さ分だけ長尺に形成されている。なお、本実施の形態では、サークル本体１０Ｌの各柵部材２のうち、拡張空間５０Ｌと対面する直線部１１ｃの柵部材２と、サークル拡張体５Ｌの直線部１１ｄの柵部材２と、拡張空間５０Ｌとは非対面となる直線部１１ｄの柵部材２とを、それぞれ出入口用柵部材６に置換したが、拡張空間と対面するサークル本体の柵部材のうちの少なくとも１枚の柵部材のみが出入口用柵部材に置換されていればよい。
【００８８】
サークル拡張体５Ｌの各柵部材５には、その枠体５０内を不透明に目隠しする木製のパネル材（図示せず）が取り付けられている。また、サークル本体１０Ｌの凹部５１Ｌの各柵部材２，６にも、その枠体２０，６０内を不透明に目隠しする木製のパネル材（図示せず）が取り付けられている。
【００８９】
サークル拡張体５Ｌは、その上方へ開口する開口部（図示せず）を閉塞するための１枚の屋根部材（図示せず）を備え、拡張空間５０Ｌ内からのペットの飛び出しや、拡張空間５０Ｌ外からの他のペットの侵入を防止している。そして、屋根部材は、サークル拡張体５Ｌに対し脱着自在な固定具（図示せず）を介して固定されている。この場合、屋根部材は、サークル拡張体５Ｌの柵部材５と同一の枠体を備えている。
【００９０】
したがって、本実施の形態においても、サークル本体１０Ｌの凹部５１Ｌの出入口用柵部材６の外側に新たな拡張空間５０Ｌを形成するサークル拡張体５Ｌの左右両端に位置する柵部材５，５の他方の幅方向端２１，２１が、サークル本体１０Ｌの直線部１１ｂ，１１ｄの各柵部材２の他方の幅方向端２１，２１に対し、互いに向き合う縦杆２２，２２の対向面同士を突き合わせた状態で縦杆用締結具３４によって連結されているので、サークル本体１０Ｌのサークル空間１００Ｌの外側に出入口用柵部材６によって出入り可能な新たな拡張空間５０Ｌを簡単に連設することができる。よって、複数のペットを収容した際のペット同士の接触を回避することができるとともに、単数のペットを収容した際のペットの躾を効果的に行うことができる。
【００９１】
しかも、サークル本体１０Ｌの凹部５１Ｌの出入口用柵部材６によって、サークル空間１００Ｌと拡張空間５０Ｌとの出入りをスムーズに行うことができる。また、サークル本体１０Ｌの直線部１１ｄの出入口用柵部材６によって、サークル空間１００Ｌ内外への出入りをスムーズに行うことができる。更に、サークル拡張体５Ｌの直線部５１ｄの出入口用柵部材６によって、拡張空間５０Ｌ内外への出入りをスムーズに行うことができる。
【００９２】
ここで、本実施の形態の変形例を図２１に基づいて説明する。この図２１は第５の実施の形態の変形例に係るペット用サークルの平面図を示している。
【００９３】
すなわち、本実施の形態では、図２１において符号１Ｍで示すペット用サークルは、サークル本体１０Ｍの内方へ略Ｌ字状に凹む凹部５１Ｍを有している。この凹部５１Ｍは、サークル本体１０Ｍの直線部１１ａ〜１１ｄのうちの互いに隣接する２つの直線部１１ｂ，１１ｄに跨って設けられている。サークル本体１０Ｍは、２枚の柵部材２，２の一方の幅方向端２１，２１同士をそれぞれ直線部用固定具３によって連結した直線部１１ａ，１１ｃと、この直線部１１ａ，１１ｃの各柵部材２のうちの一方の柵部材２の他方の幅方向端２１にそれぞれ角部用固定具４を介して一方の幅方向端２１が連結された１枚の柵部材２よりなる直線部１１ｂ，１１ｄと、この直線部１１ｂ，１１ｄの柵部材２の他方の幅方向端２１にそれぞれ角部用固定具４を介して他方の幅方向端２１同士が連結され、一方の幅方向端２１同士が角部用固定具４を介して連結された２枚の柵部材２，２よりなる凹部５１Ｍとを備えている。直線部１１ａ，１１ｃの各柵部材２のうちの互いに隣接する他方の柵部材２の一方の幅方向端２１同士は、角部用固定具４を介して連結されている。
【００９４】
サークル本体１０Ｍの直線部１１ａ，１１ｃの柵部材２，２同士の間には、縦杆部材４６がそれぞれ介設されている。この各縦杆部材４６は、凹部５１Ｍを形成する１組の柵部材２，２の表裏方向の厚みによって増大する縦方向又は横方向への増大分の長さに相当する幅方向の長さが半分だけ吸収されるように、柵部材２，２の表裏方向の厚みの略半分と同じ長さに設定されている。そして、各縦杆部材４６の上下両端部には、各柵部材２の縦杆２２の幅方向貫通孔２６に対応してそれぞれ幅方向に貫通する幅方向貫通孔（図示せず）が設けられている。また、直線部１１ｄの柵部材２及び凹部５１Ｍの柵部材２，２のうちの直線部１１ｄ側の柵部材２は、幅方向の長さが僅かに短い微短尺柵部材２７に置換されている。各微短尺柵部材２７は、凹部５１Ｍを形成する１組の柵部材２，２の表裏方向の厚みによって増大する縦方向又は横方向への増大分の長さに相当する幅方向の長さが半分だけ吸収されるように、柵部材２，２の表裏方向の厚みの略半分に相当する長さ分だけ当該各柵部材２よりも枠体２７０の幅方向の長さが短尺に設定されている。微短尺柵部材２７の枠体２７０も、各柵部材２と同様に縦杆２２及び横杆２３によって構成されている。この場合、各縦杆部材４５，４６と各微短尺柵部材２７とによって、凹部５１Ｍを形成する１組の柵部材２，２の表裏方向の厚みによって増大する縦方向又は横方向への増大分の長さに相当する幅方向の長さを吸収している。
【００９５】
また、サークル本体１０Ｍの各柵部材２のうち、直線部１１ｂの柵部材２と、この直線部１１ｂの柵部材２に連結された凹部５１Ｍの柵部材２とは、それぞれ出入口用柵部材６に置換されている。更に、サークル本体１０Ｍの直線部１１ａ，１１ｃ上において縦杆部材４６を挟んで互いに相隣なる双方の柵部材２，２の幅方向端２１，２１同士を固定する長尺材３２及び縦杆用締結具３４は、縦杆部材４６を挟んで互いに相隣なる双方の柵部材２，２の縦杆２２の幅方向貫通孔２６，２６に縦杆用締結具３４を挿通する上で、縦杆部材４６の幅方向の半分の長さ分だけ長尺に形成されている。
【００９６】
そして、サークル本体１０Ｍには、凹部５１Ｍの出入口用柵部材６の外側に新たに囲繞された拡張空間５０Ｍを形成する略Ｌ字状のサークル拡張体５Ｍが連設されている。このサークル拡張体５Ｍは、２つの柵部材５，５の一方の幅方向端２１，２１同士を角部５２において角部用固定具４により連結して形成されている。また、サークル拡張体５Ｍの各柵部材５の他方の幅方向端２１，２１は、サークル本体１０Ｍの直線部１１ｂ，１１ｄの柵部材２，６の幅方向端２１，２１に対し、それぞれ互いに向き合う縦杆２２，６２の対向面同士を突き合わせた状態で、縦杆部材４５を介して縦杆用締結具３４により連結されている。そして、ペット用サークル１Ｍは、サークル本体１０Ｍの凹部５１Ｍがサークル拡張体５Ｍによって塞がれている。また、サークル拡張体５Ｍの直線部５１ｄの柵部材５は、出入口用柵部材６に置換されている。この場合、サークル本体１０Ｍの直線部１１ｂ，１１ｄ上及びサークル拡張体５Ｍの直線部５１ｂ，５１ｄ上において縦杆部材４５を挟んで互いに相隣なる双方の柵部材２，６の一方の幅方向端２１，２１同士を固定する長尺材３２及び縦杆用締結具３４は、縦杆部材４５を挟んで互いに相隣なる双方の柵部材２，６の縦杆２２，６２の幅方向貫通孔２６，２６に縦杆用締結具３４を挿通する上で、縦杆部材４５の幅方向の長さ分だけ長尺に形成されている。なお、本実施の形態では、サークル本体１０Ｍの各柵部材２，２７のうち、拡張空間５０Ｍと対面する凹部５１Ｍの柵部材２と、サークル拡張体５Ｍの直線部５１ｄの柵部材５と、拡張空間５０Ｍとは非対面となる直線部１１ｂの柵部材２とを、それぞれ出入口用柵部材６に置換したが、拡張空間と対面するサークル本体の凹部の柵部材のうちの少なくとも１枚の柵部材のみが出入口用柵部材に置換されていればよい。
【００９７】
サークル拡張体５Ｍの各柵部材６，２７には、その枠体６０，２７０内を不透明に目隠しする木製のパネル材（図示せず）が取り付けられている。また、サークル本体１０Ｍの凹部５１Ｍの各柵部材２，２７にも、その枠体２０，２７０内を不透明に目隠しする木製のパネル材（図示せず）が取り付けられている。
【００９８】
サークル拡張体５Ｍは、その上方へ開口する開口部（図示せず）を閉塞するための１枚の屋根部材（図示せず）を備え、拡張空間５０Ｍ内からのペットの飛び出しや、拡張空間５０Ｍ外からの他のペットの侵入を防止している。そして、屋根部材は、サークル拡張体５Ｍに対し脱着自在な固定具（図示せず）を介して固定されている。この場合、屋根部材は、サークル拡張体５Ｍの微短尺柵部材２７と同一の枠体を備えている。
【００９９】
したがって、本実施の形態においても、サークル本体１０Ｍの凹部５１Ｍの出入口用柵部材６の外側に新たな拡張空間５０Ｍを形成するサークル拡張体５Ｍの左右両端に位置する各柵部材２７，６の他方の幅方向端２１，２１が、サークル本体１０Ｍの直線部１１ｂ，１１ｄの各柵部材２７，６の他方の幅方向端２１，２１に対し、互いに向き合う縦杆２２，２２の対向面同士を突き合わせた状態で縦杆用締結具３４によって連結されているので、サークル本体１０Ｍのサークル空間１００Ｍの外側に出入口用柵部材６によって出入り可能な新たな拡張空間５０Ｍを簡単に連設することができる。よって、複数のペットを収容した際のペット同士の接触を回避することができるとともに、単数のペットを収容した際のペットの躾を効果的に行うことができる。
【０１００】
しかも、サークル本体１０Ｍの凹部５１Ｍの出入口用柵部材６によって、サークル空間１００Ｍと拡張空間５０Ｍとの出入りをスムーズに行うことができる。また、サークル本体１０Ｍの直線部１１ｂの出入口用柵部材６によって、サークル空間１００Ｍ内外への出入りをスムーズに行うことができる。更に、サークル拡張体５Ｍの直線部５１ｄの出入口用柵部材６によって、拡張空間５０Ｍ内外への出入りをスムーズに行うことができる。
【０１０１】
更に、本実施の形態のその他の変形例を図２２に基づいて説明する。図２２は第５の実施の形態のその他の変形例に係るペット用サークルの平面図を示している。
【０１０２】
すなわち、本実施の形態では、図２２において符号１Ｎで示すペット用サークルは、サークル本体１０Ｎの内方へ略Ｌ字状に凹む凹部５１Ｎを有している。この凹部５１Ｎは、サークル本体１０Ｎの直線部１１ａ〜１１ｄのうちの互いに隣接する２つの直線部１１ｂ，１１ｄに跨って設けられている。サークル本体１０Ｎは、２枚の柵部材２，２の一方の幅方向端２１，２１同士をそれぞれ直線部用固定具３によって連結した直線部１１ａ，１１ｃと、この直線部１１ａ，１１ｃの各柵部材２のうちの一方の柵部材２の他方の幅方向端２１にそれぞれ角部用固定具４を介して一方の幅方向端２１が連結された１枚の柵部材２よりなる直線部１１ｂ，１１ｄと、この直線部１１ｂ，１１ｄの柵部材２の他方の幅方向端２１にそれぞれ角部用固定具４を介して他方の幅方向端同士が連結され、一方の幅方向端同士が角部用固定具４を介して連結された２枚の短尺柵部材２８，２８よりなる凹部５１Ｎとを備えている。直線部１１ａ，１１ｃの各柵部材２のうちの一方の柵部材２の他方の幅方向端２１，２１同士は、角部用固定具４を介して連結されている。
【０１０３】
サークル本体１０Ｎの凹部５１Ｎの各柵部材２は、幅方向の長さが短い短尺柵部材２８に置換されている。各短尺柵部材２８は、凹部５１Ｎを形成する１組の短尺柵部材２８，２８の表裏方向の厚みによって増大する縦方向又は横方向への増大分の長さに相当する幅方向の長さが吸収されるように、短尺柵部材２８，２８の表裏方向の厚みに相当する長さ分だけ各柵部材２の枠体２０よりも枠体２８０の幅方向の長さが短尺に設定されている。短尺柵部材２８の枠体２８０も、各柵部材２と同様に縦杆２２及び横杆２３によって構成されている。この場合、各短尺柵部材２８によって、凹部５１Ｎを形成する１組の柵部材２，２８の表裏方向の厚みによって増大する縦方向又は横方向への増大分の長さに相当する幅方向の長さを吸収している。
【０１０４】
また、サークル本体１０Ｎの各柵部材２のうち、直線部１１ｄの柵部材２と、直線部１１ｂの柵部材２に連結された凹部５１Ｎの短尺柵部材２８とは、それぞれ出入口用柵部材６，４７に置換されている。出入口用柵部材４７は、その幅方向の長さが出入口用柵部材６の枠体６０よりも表裏方向の長さ文だけ短い枠体４７０を備えている。なお、図中４７１は出入口用柵部材４７の縦杆、４７２は扉である。
【０１０５】
そして、サークル本体１０Ｎには、凹部５１Ｎの出入口用柵部材６の外側に新たに囲繞された拡張空間５０Ｎを形成する略Ｌ字状のサークル拡張体５Ｎが連設されている。このサークル拡張体５Ｎは、２枚の柵部材５，５の一方の幅方向端２１，２１同士を角部５２において角部用固定具４により連結して形成されている。また、サークル拡張体５Ｎの各柵部材５の他方の幅方向端２１，２１は、サークル本体１０Ｎの直線部１１ｂ，１１ｄの柵部材２，６の他方の幅方向端２１，２１に対し、それぞれ互いに向き合う縦杆２２，６２の対向面同士を突き合わせた状態で、縦杆用締結具３４により連結されている。そして、ペット用サークル１Ｎは、サークル本体１０Ｎの凹部５１Ｎがサークル拡張体５Ｎによって塞がれている。また、サークル拡張体５Ｎの直線部５１ｄの柵部材５は、出入口用柵部材６に置換されている。なお、サークル本体１０Ｎの凹部５１Ｎの短尺柵部材２８と、サークル拡張体５Ｎの直線部５１ｄの柵部材５と、拡張空間５０Ｎとは非対面となる直線部１１ｄの柵部材２とを、それぞれ出入口用柵部材６，４７に置換したが、拡張空間と対面するサークル本体の柵部材のうちの少なくとも１枚の柵部材のみが出入口用柵部材に置換されていればよい。
【０１０６】
サークル拡張体５Ｎの各柵部材５，６には、その枠体５０，６０内を不透明に目隠しする木製のパネル材（図示せず）が取り付けられている。また、サークル本体１０Ｎの凹部５１Ｎの各柵部材２８，４７にも、その枠体２８０，４７０内を不透明に目隠しする木製のパネル材（図示せず）が取り付けられている。
【０１０７】
サークル拡張体５Ｎは、その上方へ開口する開口部（図示せず）を閉塞するための１枚の屋根部材（図示せず）を備え、拡張空間５０Ｎ内からのペットの飛び出しや、拡張空間５０Ｎ外からの他のペットの侵入を防止している。そして、屋根部材は、サークル拡張体５Ｎに対し脱着自在な固定具（図示せず）を介して固定されている。この場合、屋根部材は、サークル拡張体５Ｎの短尺柵部材２８と同一の枠体を備えている。
【０１０８】
したがって、本実施の形態においても、サークル本体１０Ｎの凹部５１Ｎの出入口用柵部材４７の外側に新たな拡張空間５０Ｎを形成するサークル拡張体５Ｎの左右両端に位置する柵部材５，６の他方の幅方向端２１，２１が、サークル本体１０Ｎの直線部１１ｂ，１１ｄの各柵部材２，６の他方の幅方向端２１，２１に対し、互いに向き合う縦杆２２，６２，４７１の対向面同士を突き合わせた状態で縦杆用締結具３４によって連結されているので、サークル本体１０Ｎのサークル空間１００Ｎの外側に出入口用柵部材４７によって出入り可能な新たな拡張空間５０Ｎを簡単に連設することができる。よって、複数のペットを収容した際のペット同士の接触を回避することができるとともに、単数のペットを収容した際のペットの躾を効果的に行うことができる。
【０１０９】
しかも、サークル本体１０Ｎの凹部５１Ｎの出入口用柵部材４７によって、サークル空間１００Ｎと拡張空間５０Ｎとの出入りをスムーズに行うことができる。また、サークル本体１０Ｎの直線部１１ｄの出入口用柵部材６によって、サークル空間１００Ｎ内外への出入りをスムーズに行うことができる。更に、サークル拡張体５Ｎの直線部５１ｄの出入口用柵部材６によって、拡張空間５０Ｎ内外への出入りをスムーズに行うことができる。
【０１１０】
次に、本発明の第６の実施の形態を図２３に基づいて説明する。
【０１１１】
この実施の形態では、ペット用サークルの構成を変更している。なお、ペット用サークルの構成要件は、前記第１の実施の形態の場合と同じであり、同一の部分については同じ符号を付してその詳細な説明は省略する。図２３は本発明の第６の実施の形態に係るペット用サークルの平面図を示している。
【０１１２】
すなわち、本実施の形態では、図２３において符号１Ｐで示すペット用サークルは、サークル本体１０Ｐの内方へ凹む凹部５１Ｐを有している。この凹部５１Ｐは、サークル本体１０Ｐの直線部１１ａ〜１１ｄのうちの単一の直線部１１ｄにおける柵部材２，２同士の間に設けられている。サークル本体１０Ｐは、２枚の柵部材２，２のうちの一方の幅方向端２１，２１同士をそれぞれ直線部用固定具３によって連結した直線部１１ａ，１１ｂと、この直線部１１ａ，１１ｂの各柵部材５のうちの一方の柵部材２（図２３では上側の柵部材２）の他方の幅方向端２１（図２３では上側）にそれぞれ角部用固定具４により連結された３枚の柵部材２よりなる直線部１１ｃと、直線部５１ａ，５１ｃの各柵部材２のうちの他方の柵部材２（図２３では下側の柵部材５）の他方の幅方向端２１（図２３では下側）にそれぞれ角部用固定具４により連結された互いに離間する２枚の柵部材２，２よりなる直線部１１ｄと、３枚の柵部材２，２，２の互いに隣接する幅方向端２１，２１同士が角部用固定具４により連結され、そのうちの自由端となる２枚の柵部材２，２の幅方向端２１，２１が直線部１１ｄの各柵部材５，５の他方の幅方向端２１，２１にそれぞれ角部用固定具４により連結された凹部５１Ｐとを備えている。直線部１１ｃの各柵部材２のうちの互いに相隣なる柵部材２，２の一方の幅方向端２１，２１同士は、それぞれ直線部用固定具３によって連結されている。この場合、直線部１１ｃの各柵部材２のうちの左右方向一端側における柵部材２は、その一方の幅方向端２１が中央の柵部材２の他方の幅方向端２１に対し直線部用固定具３によって連結されている。
【０１１３】
凹部５１Ｐの各柵部材２のうちの中央の柵部材２は、幅方向の長さがより短い最短尺柵部材２９に置換されている。この最短尺柵部材２９は、凹部５１Ｐを形成する２枚の柵部材２，２の表裏方向の厚みによって増大する横方向への増大分の長さに相当する幅方向の長さが吸収されるように、２枚の柵部材２，２の表裏方向の厚みに相当する長さ分だけ当該各柵部材２よりも枠体２９０の幅方向の長さが短尺に設定されている。また、最短尺柵部材２９の枠体２９０も、各柵部材２と同様に縦杆２２及び横杆２３によって構成されている。この場合、最短尺柵部材２９によって、凹部５１Ｐを形成する２枚の柵部材２，２の表裏方向の厚みによって増大する横方向への増大分の長さに相当する幅方向の長さを吸収している。
【０１１４】
また、サークル本体１０Ｐの直線部１１ｄの一方の柵部材２（直線部１１ａ側の柵部材２）と、凹部５１Ｐの各柵部材２のうちの直線部１１ｄの一方の柵部材２側の柵部材２とは、それぞれ出入口用柵部材６に置換されている。
【０１１５】
そして、サークル本体１０Ｐには、１枚の柵部材５を直線部用固定具３により連結して凹部５１Ｐの出入口用柵部材６の外側に新たに囲繞された拡張空間５０Ｐを形成するサークル拡張体５Ｐが連設されている。このサークル拡張体５Ｐの柵部材５の双方の幅方向端２１，２１は、サークル本体１０Ｐの直線部１１ｄの各柵部材６，２の他方の幅方向端２１，２１に対し、それぞれ互いに向き合う縦杆２２，６２の対向面同士を突き合わせた状態で、縦杆用締結具３４により連結されている。そして、ペット用サークル１Ｐは、サークル本体１０Ｐの凹部５１Ｐがサークル拡張体５Ｐによって塞がれている。また、サークル張体５Ｐの柵部材５は、出入口用柵部材６に置換されている。なお、本実施の形態では、サークル本体１０Ｐの各柵部材２のうち、拡張空間５０Ｐと対面する凹部５１Ｐの柵部材２と、サークル拡張体５Ｐの柵部材５と、拡張空間５０Ｐとは非対面となる直線部１１ｄの一方の柵部材２とを、それぞれ出入口用柵部材６に置換したが、拡張空間と対面するサークル本体の柵部材のうちの少なくとも１枚の柵部材のみが出入口用柵部材に置換されていればよい。
【０１１６】
サークル拡張体５Ｐの出入口用柵部材６には、その枠体６０内を不透明に目隠しする木製のパネル材（図示せず）が取り付けられている。また、サークル本体１０Ｐの凹部５１Ｐの各柵部材２，６，２９にも、その枠体２０，６０，２９０内を不透明に目隠しする木製のパネル材（図示せず）が取り付けられている。
【０１１７】
サークル拡張体５Ｐは、その上方へ開口する開口部（図示せず）を閉塞するための１枚の屋根部材（図示せず）を備え、拡張空間５０Ｐ内からのペットの飛び出しや、拡張空間５０Ｐ外からの他のペットの侵入を防止している。そして、屋根部材は、サークル拡張体５Ｐに対し脱着自在な固定具（図示せず）を介して固定されている。この場合、屋根部材は、サークル本１０Ｐの最短尺柵部材２９と同一の枠体を備えている。
【０１１８】
したがって、本実施の形態においても、サークル本体１０Ｐの凹部５１Ｐの出入口用柵部材６の外側に新たな拡張空間５０Ｐを形成するサークル拡張体５Ｐの出入口用柵部材６の幅方向両端２１，２１が、サークル本体１０Ｐの直線部１１ｄの各柵部材２，６の他方の幅方向端２１，２１に対し、互いに向き合う縦杆２２，６２の対向面同士を突き合わせた状態で縦杆用締結具３４によって連結されているので、サークル本体１０Ｐのサークル空間１００Ｐの外側に出入口用柵部材６によって出入り可能な新たな拡張空間５０Ｐを簡単に連設することができる。よって、複数のペットを収容した際のペット同士の接触を回避することができるとともに、単数のペットを収容した際のペットの躾を効果的に行うことができる。
【０１１９】
しかも、サークル本体１０Ｐの凹部５１Ｐの出入口用柵部材６によって、サークル空間１００Ｐと拡張空間５０Ｐとの出入りをスムーズに行うことができる。また、サークル本体１０Ｐの直線部１１ｄの出入口用柵部材６によって、サークル空間１００Ｐ内外への出入りをスムーズに行うことができる。更に、サークル拡張体５Ｐの出入口用柵部材６によって、拡張空間５０Ｐ内外への出入りをスムーズに行うことができる。
【０１２０】
次に、本発明の第７の実施の形態を図２４に基づいて説明する。
【０１２１】
この実施の形態では、ペット用サークルの構成を変更している。なお、ペット用サークルの構成要件は、前記第１の実施の形態の場合と同じであり、同一の部分については同じ符号を付してその詳細な説明は省略する。図２４は本発明の第７の実施の形態に係るペット用サークルの平面図を示している。
【０１２２】
すなわち、本実施の形態では、図２４において符号１Ｓで示すペット用サークルは、サークル本体１０Ｓの内方へ凹む凹部５１Ｓを有している。この凹部５１Ｓは、サークル本体１０Ｓの直線部１１ａ〜１１ｄのうちの互いに隣接する２つの直線部１１ｂ，１１ｄに跨って設けられている。サークル本体１０Ｓは、３枚の柵部材２，２，２の互いに隣接する幅方向端２１，２１同士をそれぞれ直線部用固定具３によって連結した直線部１１ａ，１１ｃと、この直線部１１ａ，１１ｃの互いに離反する一端側に位置する柵部材２，２の幅方向端２１，２１にそれぞれ角部用固定具４により一方の幅方向端が連結された１枚の柵部材２よりなる直線部１１ｂ，１１ｄと、この直線部１１ｂ，１１ｄの柵部材２の他方の幅方向端にそれぞれ角部用固定具４によって連結され、４枚の柵部材２，２，…をそれぞれ交互に逆向きに角部用固定具４により連結した凹部５１Ｓとを備えている。直線部１１ａ，１１ｃの互いに隣接する他端側に位置する柵部材２，２の幅方向端２１，２１同士は、角部用固定具４により連結されている。
【０１２３】
凹部５１Ｓの各柵部材２は、全て短尺柵部材２８に置換されている。また、サークル本体１０Ｓの直線部１１ｄの柵部材２と、凹部５１Ｓの各短尺柵部材２８のうちの中央寄りに位置する短尺柵部材２８とは、それぞれ出入口用柵部材６，４７に置換されている。
【０１２４】
そして、サークル本体１０Ｓには、凹部５１Ｓの出入口用柵部材４７の外側に新たに囲繞された拡張空間５０Ｓを形成するサークル拡張体５Ｓが連設されている。このサークル拡張体５Ｓは、一方の幅方向端同士を直線部用固定具３により連結した２枚の柵部材５，５よりなる直線部５１ｂ，５１ｄを備え、その直線部５１ｂ，５１ｄにおいて互いに隣接する一方の柵部材５，５の一方の幅方向端２１，２１同士を角部用固定具４により連結して略Ｌ字状に形成されている。サークル拡張体５Ｓの左右両端に位置する他方の柵部材５の他方の幅方向端２１，２１は、サークル本体１０Ｓの直線部１１ｄの各柵部材６，２の幅方向端２１，２１に対し、それぞれ互いに向き合う縦杆２２，６２の対向面同士を突き合わせた状態で、縦杆用締結具３４により連結されている。そして、ペット用サークル１Ｓは、サークル本体１０Ｓの凹部５１Ｓがサークル拡張体５Ｓによって塞がれている。また、サークル拡張体５Ｓの各柵部材５のうちの１つの柵部材５は、出入口用柵部材６に置換されている。なお、本実施の形態では、サークル本体１０Ｓの各柵部材２のうち、拡張空間５０Ｓと対面する凹部５１Ｓの短尺柵部材２８と、サークル拡張体５Ｓの各柵部材５のうちの１つの柵部材５と、拡張空間５０Ｓとは非対面となる直線部１１ｄの柵部材２とを、それぞれ出入口用柵部材６，４７に置換したが、拡張空間と対面するサークル本体の柵部材のうちの少なくとも１枚の柵部材のみが出入口用柵部材に置換されていればよい。
【０１２５】
サークル拡張体５Ｓの各柵部材５，６には、その枠体５０，６０内を不透明に目隠しする木製のパネル材（図示せず）が取り付けられている。また、サークル本体１０Ｓの凹部５１Ｓの各柵部材２８，４７にも、その枠体２８０，４７０内を不透明に目隠しする木製のパネル材（図示せず）が取り付けられている。
【０１２６】
サークル拡張体５Ｓは、その上方へ開口する開口部（図示せず）を閉塞するための複数枚の屋根部材（図示せず）を備え、拡張空間５０Ｓ内からのペットの飛び出しや、拡張空間５０Ｓ外からの他のペットの侵入を防止している。そして、各屋根部材は、サークル拡張体５Ｓに対し脱着自在な固定具（図示せず）を介して固定されている。この場合、屋根部材は、サークル本１０Ｓの短尺柵部材２８と同一の枠体を備えている。
【０１２７】
したがって、本実施の形態においても、サークル本体１０Ｓの凹部５１Ｓの出入口用柵部材４７の外側に新たな拡張空間５０Ｓを形成するサークル拡張体５Ｓの左右両端に位置する各柵部材５，５が、サークル本体１０Ｓの直線部１１ｂの柵部材２の他方の幅方向端２１及び直線部１１ｄの出入口用柵部材６の他方の幅方向端２１に対し、互いに向き合う縦杆２２，６２の対向面同士を突き合わせた状態で縦杆用締結具３４によって連結されているので、サークル本体１０Ｓのサークル空間１００Ｓの外側に出入口用柵部材６によって出入り可能な新たな拡張空間５０Ｓを簡単に連設することができる。よって、複数のペットを収容した際のペット同士の接触を回避することができるとともに、単数のペットを収容した際のペットの躾を効果的に行うことができる。
【０１２８】
しかも、サークル本体１０Ｓの凹部５１Ｓの出入口用柵部材４７によって、サークル空間１００Ｓと拡張空間５０Ｓとの出入りをスムーズに行うことができる。また、サークル本体１０Ｓの直線部１１ｄの出入口用柵部材６によって、サークル空間１００Ｓ内外への出入りをスムーズに行うことができる。更に、サークル拡張体５Ｓの出入口用柵部材６によって、拡張空間５０Ｓ内外への出入りをスムーズに行うことができる。
【０１２９】
ここで、本実施の形態の変形例を図２５に基づいて説明する。この図２５は第７の実施の形態の変形例に係るペット用サークルの平面図を示している。
【０１３０】
すなわち、本変形例では、図２５において符号１Ｔで示すペット用サークルは、サークル本体１０Ｔの内方へ凹む凹部５１Ｔを有している。この凹部５１Ｔは、サークル本体１０Ｔの直線部１１ａ〜１１ｄのうちの互いに隣接する２つの直線部１１ｂ，１１ｄに跨って設けられている。サークル本体１０Ｔは、３枚の柵部材２，２，２の互いに隣接する幅方向端２１，２１同士をそれぞれ縦杆部材４５を介して直線部用固定具３によって連結した直線部１１ａ，１１ｃと、この直線部１１ａ，１１ｃの互いに離反する一端側に位置する柵部材２，２の幅方向端２１にそれぞれ角部用固定具４により一方の幅方向端が連結された１枚の柵部材２よりなる直線部１１ｂ，１１ｄと、この直線部１１ｂ，１１ｄの柵部材２の他方の幅方向端にそれぞれ角部用固定具４によって連結され、４枚の柵部材２，２，…をそれぞれ交互に逆向きに角部用固定具４により連結した凹部５１Ｔとを備えている。直線部１１ａ，１１ｃの互いに隣接する他端側に位置する柵部材２，２の幅方向端２１，２１同士は、角部用固定具４により連結されている。
【０１３１】
また、サークル本体１０Ｔの直線部１１ｄの柵部材２と、凹部５１Ｔの各短尺柵部材２のうちの中央寄りに位置する短尺柵部材２とは、それぞれ出入口用柵部材６に置換されている。
【０１３２】
そして、サークル本体１０Ｔには、凹部５１Ｔの出入口用柵部材６の外側に新たに囲繞された拡張空間５０Ｔを形成するサークル拡張体５Ｔが連設されている。このサークル拡張体５Ｔは、一方の幅方向端２１，２１同士の間に縦杆部材４５を挟んで直線部用固定具３により連結した２枚の柵部材５，５よりなる直線部５１ｂ，５１ｄにおいてその互いに隣接する一方の柵部材５，５の他方の幅方向端２１，２１同士を角部用固定具４により連結して略Ｌ字状に形成されている。サークル拡張体５Ｔの左右両端に位置する各柵部材５の幅方向端２１，２１は、サークル本体１０Ｔの直線部１１ｂ，１１ｄの各柵部材６，２の他方の幅方向端２１，２１に対し、それぞれ互いに向き合う縦杆２２，６２の対向面同士を縦杆部材４５を介して突き合わせた状態で、縦杆用締結具３４により連結されている。そして、ペット用サークル１Ｔは、サークル本体１０Ｔの凹部５１Ｔがサークル拡張体５Ｔによって塞がれている。また、サークル拡張体５Ｔの各柵部材５のうちの直線部５１ｄの一方の柵部材５は、出入口用柵部材６に置換されている。なお、本実施の形態では、サークル本体１０Ｔの各柵部材２のうちの拡張空間５０Ｔと対面する凹部５１Ｔの柵部材２と、サークル拡張体５Ｔの直線部５１ｄの一方の柵部材５と、拡張空間５０Ｔとは非対面となる直線部１１ｄの柵部材２とを、それぞれ出入口用柵部材６に置換したが、拡張空間と対面するサークル本体の凹部の柵部材のうちの少なくとも１枚の柵部材のみが出入口用柵部材に置換されていればよい。
【０１３３】
サークル拡張体５Ｔの各柵部材５，６には、その枠体５０，６０内を不透明に目隠しする木製のパネル材（図示せず）が取り付けられている。また、サークル本体１０Ｔの凹部５１Ｔの各柵部材２，６にも、その枠体２０，６０内を不透明に目隠しする木製のパネル材（図示せず）が取り付けられている。
【０１３４】
サークル拡張体５Ｔは、その上方へ開口する開口部（図示せず）を閉塞するための複数枚の屋根部材（図示せず）を備え、拡張空間５０Ｔ内からのペットの飛び出しや、拡張空間５０Ｔ外からの他のペットの侵入を防止している。そして、各屋根部材は、サークル拡張体５Ｔに対し脱着自在な固定具（図示せず）を介して固定されている。この場合、屋根部材は、サークル本１０Ｔの柵部材２と同一の枠体を備えている。
【０１３５】
したがって、本変形例においても、サークル本体１０Ｔの凹部５１Ｔの出入口用柵部材６の外側に新たな拡張空間５０Ｔを形成するサークル拡張体５Ｔの左右両端に位置する各柵部材５，５が、サークル本体１０Ｔの直線部１１ｂの柵部材２の他方の幅方向端２１及び直線部１１ｄの出入口用柵部材６の他方の幅方向端２１に対し、互いに向き合う縦杆２２，６２の対向面同士を突き合わせた状態で縦杆用締結具３４によって連結されているので、サークル本体１０Ｔのサークル空間１００Ｔの外側に出入口用柵部材６によって出入り可能な新たな拡張空間５０Ｔを簡単に連設することができる。よって、複数のペットを収容した際のペット同士の接触を回避することができるとともに、単数のペットを収容した際のペットの躾を効果的に行うことができる。
【０１３６】
しかも、サークル本体１０Ｔの凹部５１Ｔの出入口用柵部材６によって、サークル空間１００Ｔと拡張空間５０Ｔとの出入りをスムーズに行うことができる。また、サークル本体１０Ｔの直線部１１ｄの出入口用柵部材６によって、サークル空間１００Ｔ内外への出入りをスムーズに行うことができる。更に、サークル拡張体５Ｔの出入口用柵部材６によって、拡張空間５０Ｔ内外への出入りをスムーズに行うことができる。
【０１３７】
また、本実施の形態のその他の変形例を図２６に基づいて説明する。この図２６は第７の実施の形態のその他の変形例に係るペット用サークルの平面図を示している。
【０１３８】
すなわち、本変形例では、図２８において符号１Ｕで示すペット用サークルは、サークル本体１０Ｕの内方へ凹む凹部５１Ｕを有している。この凹部５１Ｕは、サークル本体１０Ｕの直線部１１ａ〜１１ｄのうちの互いに隣接する２つの直線部１１ｂ，１１ｄに跨って設けられている。サークル本体１０Ｕは、３枚の柵部材２，２，２の互いに隣接する幅方向端２１，２１同士をそれぞれ直線部用固定具３によって連結した直線部１１ａ，１１ｃと、この直線部１１ａ，１１ｃの互いに離反する一端側に位置する柵部材２，２の幅方向端２１，２１にそれぞれ角部用固定具４により一方の幅方向端が連結された１枚の柵部材２よりなる直線部１１ｂ，１１ｄと、この直線部１１ｂ，１１ｄの柵部材２の他方の幅方向端にそれぞれ角部用固定具４によって連結され、４枚の柵部材２，２，…をそれぞれ交互に逆向きに角部用固定具４により連結した凹部５１Ｕとを備えている。直線部１１ａ，１１ｃの互いに隣接する他端側に位置する柵部材２，２の幅方向端２１，２１同士は、角部用固定具４により連結されている。
【０１３９】
凹部５１Ｕの各柵部材２のうちの中央寄りの２枚の柵部材２，２は、最短尺柵部材２９に置換されている。また、サークル本体１０Ｕの直線部１１ｄの柵部材２と、この直線部１１ｄの柵部材２と隣接する凹部５１Ｕの各柵部材２とは、それぞれ出入口用柵部材６に置換されている。
【０１４０】
そして、サークル本体１０Ｕには、凹部５１Ｕの出入口用柵部材６の外側に新たに囲繞された拡張空間５０Ｕを形成するサークル拡張体５Ｕが連設されている。このサークル拡張体５Ｕは、一方の幅方向一端２１，２１同士を直線部用固定具３により連結した２枚の柵部材５，５よりなる直線部５１ｂ，５１ｄにおいてその互いに隣接する一方の柵部材５，５の他方の幅方向端２１，２１同士を角部用固定具４により連結して略Ｌ字状に形成されている。サークル拡張体５Ｕの左右両端に位置する柵部材５の他方の幅方向端２１，２１は、サークル本体１０Ｕの直線部１１ｂ，１１ｄの各柵部材６，２の他方の幅方向端２１，２１に対し、それぞれ互いに向き合う縦杆２２，６２の対向面同士を突き合わせた状態で、縦杆用締結具３４により連結されている。そして、ペット用サークル１Ｕは、サークル本体１０Ｕの凹部５１Ｕがサークル拡張体５Ｕによって塞がれている。また、サークル拡張体５Ｕの各柵部材５の直線部５１ｄの一方の柵部材５は、出入口用柵部材６に置換されている。なお、本実施の形態では、サークル本体１０Ｕの各柵部材２のうちの拡張空間５０Ｕと対面する凹部５１Ｕの柵部材２と、サークル拡張体５Ｕの直線部５１ｄの一方の柵部材５と、拡張空間５０Ｕとは非対面となる直線部１１ｄの柵部材２とを、それぞれ出入口用柵部材６に置換したが、拡張空間と対面するサークル本体の柵部材のうちの少なくとも１枚の柵部材のみが出入口用柵部材に置換されていればよい。
【０１４１】
サークル拡張体５Ｕの各柵部材５，６には、その枠体５０，６０内を不透明に目隠しする木製のパネル材（図示せず）が取り付けられている。また、サークル本体１０Ｕの凹部５１Ｕの各柵部材２，６，２９にも、その枠体２０，６０，２９０内を不透明に目隠しする木製のパネル材（図示せず）が取り付けられている。
【０１４２】
サークル拡張体５Ｕは、その上方へ開口する開口部（図示せず）を閉塞するための複数枚の屋根部材（図示せず）を備え、拡張空間５０Ｕ内からのペットの飛び出しや、拡張空間５０Ｕ外からの他のペットの侵入を防止している。そして、各屋根部材は、サークル拡張体５Ｕに対し脱着自在な固定具（図示せず）を介して固定されている。この場合、屋根部材は、サークル本１０Ｕの柵部材２，２９と同一の枠体を備えている。
【０１４３】
したがって、本変形例においても、サークル本体１０Ｕの凹部５１Ｕの出入口用柵部材６の外側に新たな拡張空間５０Ｕを形成するサークル拡張体５Ｕの左右両端に位置する各柵部材５，５の他方の幅方向端２１，２１が、サークル本体１０Ｕの直線部１１ｂ，１１ｄの各柵部材２，６の他方の幅方向端２１，２１に対し、互いに向き合う縦杆２２，６２の対向面同士を突き合わせた状態で縦杆用締結具３４によって連結されているので、サークル本体１０Ｕのサークル空間１００Ｕの外側に出入口用柵部材６によって出入り可能な新たな拡張空間５０Ｕを簡単に連設することができる。よって、複数のペットを収容した際のペット同士の接触を回避することができるとともに、単数のペットを収容した際のペットの躾を効果的に行うことができる。
【０１４４】
しかも、サークル本体１０Ｕの凹部５１Ｕの出入口用柵部材６によって、サークル空間１００Ｕと拡張空間５０Ｕとの出入りをスムーズに行うことができる。また、サークル本体１０Ｕの直線部１１ｄの出入口用柵部材６によって、サークル空間１００Ｕ内外への出入りをスムーズに行うことができる。更に、サークル拡張体５Ｕの出入口用柵部材６によって、拡張空間５０Ｕ内外への出入りをスムーズに行うことができる。
【０１４５】
更に、本実施の形態のその他の変形例を図２７に基づいて説明する。この図２７は第７の実施の形態のその他の変形例に係るペット用サークルの平面図を示している。
【０１４６】
すなわち、本変形例では、図２７において符号１Ｖで示すペット用サークルは、サークル本体１０Ｖの内方へ凹む凹部５１Ｖを有している。この凹部５１Ｖは、サークル本体１０Ｖの直線部１１ａ〜１１ｄのうちの互いに隣接する２つの直線部１１ｂ，１１ｄに跨って設けられている。サークル本体１０Ｖは、３枚の柵部材２，２，２の互いに隣接する幅方向端２１，２１同士の間に縦杆部材４５，４６を交互に挟んでそれぞれ直線部用固定具３によって連結した直線部１１ａ，１１ｃと、この直線部１１ａ，１１ｃの互いに離反する一端側に位置する柵部材２，２の幅方向端２１，２１にそれぞれ角部用固定具４により一方の幅方向端が連結された１枚の柵部材２よりなる直線部１１ｂ，１１ｄと、この直線部１１ｂ，１１ｄの柵部材２の他方の幅方向端にそれぞれ角部用固定具４によって連結され、４枚の柵部材２，２，…をそれぞれ交互に逆向きに角部用固定具４により連結した凹部５１Ｖとを備えている。直線部１１ａ，１１ｃの互いに隣接する他端側に位置する柵部材２，２の幅方向端２１，２１同士は、角部用固定具４により連結されている。
【０１４７】
凹部５１Ｖの各柵部材２のうちの中央寄りの２枚の柵部材２，２は、微短尺柵部材２７に置換されている。また、サークル本体１０Ｖの直線部１１ｄの柵部材２と、この直線部１１ｄの柵部材２と隣接する凹部５１Ｖの各柵部材２とは、それぞれ出入口用柵部材６に置換されている。
【０１４８】
そして、サークル本体１０Ｖには、凹部５１Ｖの出入口用柵部材６の外側に新たに囲繞された拡張空間５０Ｖを形成するサークル拡張体５Ｖが連設されている。このサークル拡張体５Ｖは、一方の幅方向端２１，２１同士の間にそれぞれ縦杆部材４６を挟んで直線部用固定具３により連結した２枚の柵部材５，５よりなる直線部５１ｂ，５１ｄにおいてその互いに隣接する一方の柵部材５，５の他方の幅方向端２１，２１同士を角部用固定具４により連結して略Ｌ字状に形成されている。サークル拡張体５Ｖの左右両端に位置する柵部材５の他方の幅方向端２１，２１は、サークル本体１０Ｖの直線部１１ｂ，１１ｄの各柵部材６，２の他方の幅方向端２１，２１に対し、それぞれ互いに向き合う縦杆２２，６２の対向面同士を縦杆部材４５を介して突き合わせた状態で、縦杆用締結具３４により連結されている。そして、ペット用サークル１Ｖは、サークル本体１０Ｖの凹部５１Ｖがサークル拡張体５Ｖによって塞がれている。また、サークル拡張体５Ｖの直線部５１ｄの一方の柵部材５は、出入口用柵部材６に置換されている。なお、本実施の形態では、サークル本体１０Ｖの各柵部材２のうち、拡張空間５０Ｖと対面する凹部５１Ｖの柵部材２と、サークル拡張体５Ｖの直線部５１ｄの一方の柵部材５と、拡張空間５０Ｖとは非対面となる直線部１１ｄの柵部材２とを、それぞれ出入口用柵部材６に置換したが、拡張空間と対面するサークル本体の凹部の各柵部材のうちの少なくとも１枚の柵部材のみが出入口用柵部材に置換されていればよい。
【０１４９】
サークル拡張体５Ｖの各柵部材５，６には、その枠体５０，６０内を不透明に目隠しする木製のパネル材（図示せず）が取り付けられている。また、サークル本体１０Ｖの凹部５１Ｖの各柵部材２，６，２７にも、その枠体２０，６０，２７０内を不透明に目隠しする木製のパネル材（図示せず）が取り付けられている。
【０１５０】
サークル拡張体５Ｖは、その上方へ開口する開口部（図示せず）を閉塞するための複数枚の屋根部材（図示せず）を備え、拡張空間５０Ｖ内からのペットの飛び出しや、拡張空間５０Ｖ外からの他のペットの侵入を防止している。そして、各屋根部材は、サークル拡張体５Ｖに対し脱着自在な固定具（図示せず）を介して固定されている。この場合、屋根部材は、サークル本１０Ｖの柵部材２，２９と同一の枠体を備えている。
【０１５１】
したがって、本変形例においても、サークル本体１０Ｖの凹部５１Ｖの出入口用柵部材６の外側に新たな拡張空間５０Ｖを形成するサークル拡張体５Ｖの左右両端に位置する各柵部材５，５の他方の幅方向端２１，２１が、サークル本体１０Ｖの直線部１１ｂ，１１ｄの各柵部材２，６の他方の幅方向端２１，２１に対し、互いに向き合う縦杆２２，６２の対向面同士を突き合わせた状態で縦杆用締結具３４によって連結されているので、サークル本体１０Ｖのサークル空間１００Ｖの外側に出入口用柵部材６によって出入り可能な新たな拡張空間５０Ｖを簡単に連設することができる。よって、複数のペットを収容した際のペット同士の接触を回避することができるとともに、単数のペットを収容した際のペットの躾を効果的に行うことができる。
【０１５２】
しかも、サークル本体１０Ｖの凹部５１Ｖの出入口用柵部材６によって、サークル空間１００Ｖと拡張空間５０Ｖとの出入りをスムーズに行うことができる。また、サークル本体１０Ｖの直線部１１ｄの出入口用柵部材６によって、サークル空間１００Ｖ内外への出入りをスムーズに行うことができる。更に、サークル拡張体５Ｖの出入口用柵部材６によって、拡張空間５０Ｖ内外への出入りをスムーズに行うことができる。
【０１５３】
次に、本発明の第８の実施の形態を図２８に基づいて説明する。
【０１５４】
この実施の形態では、ペット用サークルの構成を変更している。なお、ペット用サークルの構成要件は、前記第１の実施の形態の場合と同じであり、同一の部分については同じ符号を付してその詳細な説明は省略する。図２８は本発明の第８の実施の形態に係るペット用サークルの平面図を示している。
【０１５５】
すなわち、本実施の形態では、図２８において符号１Ｗで示すペット用サークルは、サークル本体１０Ｗの内方へ凹む凹部５１Ｗを有している。この凹部５１Ｗは、サークル本体１０Ｗの直線部１１ａ〜１１ｄのうちの単一の直線部１１ｄに設けられている。サークル本体１０Ｗは、３枚の柵部材２，２，２の互いに隣接する幅方向端２１，２１同士をそれぞれ直線部用固定具３によって連結した直線部１１ａ，１１ｂと、この直線部１１ａ，１１ｂの一端側にそれぞれ位置する柵部材２，２（図２８では上端の柵部材２，２）の幅方向端２１，２１に角部用固定具４により幅方向端２１，２１がそれぞれ連結された４枚の柵部材２，２，…よりなる直線部１１ｃと、直線部１１ａ，１１ｂの他端側にそれぞれ位置する各柵部材２，２（図２８では下端の柵部材２，２）に一方の幅方向端２１，２１がそれぞれ角部用固定具４によって連結された互いに離間する１枚ずつの柵部材２，２よりなる直線部１１ｄと、この直線部１１ｄの各柵部材２の他方の幅方向端２１，２１に左右両端が連結された６枚の柵部材２，２，…よりなる凹部５１Ｗとを備えている。
【０１５６】
凹部５１Ｗは、そのうちの左右両端の一方がサークル本体１０Ｗの直線部１１ｄの各柵部材２のうちの直線部１１ａ側の柵部材２の他方の幅方向端２１に対し角部用固定具４により連結されてそれぞれ交互に逆向きに角部用固定具４により連結された４枚の柵部材２，２，…と、左右両端の他方がサークル本体１０Ｗの直線部１１ｄの各柵部材２のうちの直線部１１ｂ側の柵部材２の他方の幅方向端２１に対し角部用固定具４により連結され、一方の幅方向端２１，２１同士を直線部用固定具３により連結した２枚の柵部材２，２とを備えている。そして、凹部５１Ｗの左右両端の一方の４枚の柵部材２，２，…のうちの先端側の柵部材２の幅方向端２１（図２８では右端）と、凹部５１Ｗの左右両端の他方の２枚の柵部材２，２のうちの先端側の柵部材２の幅方向端２１（図２８では上端）とは、角部用固定具４により連結されている。
【０１５７】
凹部５１Ｗの左右両端の一方の４枚の柵部材２，２，…のうち、横方向（図２８では左右方向）に延びる２枚の柵部材２，２及び縦方向（図２８では上下方向）に延びる１枚の柵部材２と、直線部１１ｄの各柵部材２のうちの直線部１１ｂ側の柵部材２とは、それぞれ短尺柵部材２８に置換されている。また、サークル本体１０Ｗの直線部１１ｄの各柵部材２のうちの直線部１１ａ側の柵部材２と、凹部５１Ｗの残る柵部材２（直線部１１ａ側の柵部材２）とは、それぞれ出入口用柵部材６に置換されている。
【０１５８】
サークル本体１０Ｗには、凹部５１Ｗの出入口用柵部材６の外側に新たに囲繞された拡張空間５０Ｗを形成するサークル拡張体５Ｗが連設されている。このサークル拡張体５Ｗは、一方の幅方向端２１，２１同士を直線部用固定具３により連結した２枚の柵部材５，５により形成されている。サークル拡張体５Ｗの左右両端の一方に位置する柵部材５（図２８では左側の柵部材５）の他方の幅方向端２１は、サークル本体１０Ｗの直線部１１ｄの出入口用柵部材６の他方の幅方向端２１に対し、互いに向き合う縦杆２２，６２の対向面同士を突き合わせた状態で、縦杆用締結具３４により連結されている。一方、サークル拡張体５Ｗの左右両端の他方に位置する柵部材５（図２８では右側の柵部材５）の他方の幅方向端２１は、サークル本体１０Ｗの直線部１１ｄの短尺柵部材２８の他方の幅方向端２１に対し、互いに向き合う縦杆２２，２２の対向面同士を縦杆部材４５を介して突き合わせた状態で、縦杆用締結具３４により連結されている。
【０１５９】
そして、ペット用サークル１Ｗは、サークル本体１０Ｗの凹部５１Ｗがサークル拡張体５Ｗによって塞がれている。また、サークル拡張体５Ｗの各柵部材５のうちの左右両端の他方に位置する柵部材５は、出入口用柵部材６に置換されている。なお、本実施の形態では、サークル本体１０Ｗの各柵部材２のうち、拡張空間５０Ｗと対面する凹部５１Ｗの柵部材２と、サークル拡張体５Ｗの各柵部材５のうちの１つの柵部材５と、拡張空間５０Ｗとは非対面となる直線部１１ｄの柵部材２とを、それぞれ出入口用柵部材６に置換したが、拡張空間と対面するサークル本体の柵部材のうちの少なくとも１枚の柵部材のみが出入口用柵部材に置換されていればよい。
【０１６０】
サークル拡張体５Ｗの各柵部材５，６には、その枠体５０，６０内を不透明に目隠しする木製のパネル材（図示せず）が取り付けられている。また、サークル本体１０Ｗの凹部５１Ｗの各柵部材２，６，２８にも、その枠体２０，６０，２８０内を不透明に目隠しする木製のパネル材（図示せず）が取り付けられている。
【０１６１】
サークル拡張体５Ｗは、その上方へ開口する開口部（図示せず）を閉塞するための複数枚の屋根部材（図示せず）を備え、拡張空間５０Ｗ内からのペットの飛び出しや、拡張空間５０Ｗ外からの他のペットの侵入を防止している。そして、各屋根部材は、サークル拡張体５Ｗに対し脱着自在な固定具（図示せず）を介して固定されている。この場合、各屋根部材は、サークル本１０Ｗの各柵部材２，２８と同一の枠体を備えている。
【０１６２】
したがって、本実施の形態においても、サークル本体１０Ｗの凹部５１Ｗの出入口用柵部材６の外側に新たな拡張空間５０Ｗを形成するサークル拡張体５Ｗの左右両端の一方に位置する柵部材５の他方の幅方向端２１が、サークル本体１０Ｗの直線部１１ｂの出入口用柵部材６の他方の幅方向端２１に対し、互いに向き合う縦杆２２，６２の対向面同士を突き合わせた状態で縦杆用締結具３４によって連結されている一方、サークル拡張体５Ｗの左右両端の他方に位置する出入口用柵部材６の他方の幅方向端２１が、サークル本体１０Ｗの直線部１１ｂの短尺柵部材２８の他方の幅方向端２１に対し、互いに向き合う縦杆２２，６２の対向面同士を縦杆部材４５を介して突き合わせた状態で縦杆用締結具３４によって連結されている。これにより、サークル本体１０Ｗのサークル空間１００Ｗの外側に出入口用柵部材６によって出入り可能な新たな拡張空間５０Ｗを簡単に連設することができる。よって、複数のペットを収容した際のペット同士の接触を回避することができるとともに、単数のペットを収容した際のペットの躾を効果的に行うことができる。
【０１６３】
しかも、サークル本体１０Ｗの凹部５１Ｗの出入口用柵部材６によって、サークル空間１００Ｗと拡張空間５０Ｗとの出入りをスムーズに行うことができる。また、サークル本体１０Ｗの直線部１１ｄの出入口用柵部材６によって、サークル空間１００Ｗ内外への出入りをスムーズに行うことができる。更に、サークル拡張体５Ｗの出入口用柵部材６によって、拡張空間５０Ｗ内外への出入りをスムーズに行うことができる。
【０１６４】
ここで、本実施の形態の変形例を図２９に基づいて説明する。この図２９は第８の実施の形態の変形例に係るペット用サークルの平面図を示している。
【０１６５】
すなわち、本変形例では、図２９において符号１Ｘで示すペット用サークルは、サークル本体１０Ｘの内方へ凹む凹部５１Ｘを有している。この凹部５１Ｘは、サークル本体１０Ｘの直線部１１ａ〜１１ｄのうちの単一の直線部１１ｄに設けられている。サークル本体１０Ｘは、３枚の柵部材２，２，２の互いに隣接する幅方向端２１，２１同士をそれぞれ直線部用固定具３によって連結した直線部１１ａ，１１ｂと、この直線部１１ａ，１１ｂの一端側にそれぞれ位置する柵部材２，２（図２９では上端の柵部材２，２）の幅方向端２１，２１に角部用固定具４により幅方向端２１，２１がそれぞれ連結された４枚の柵部材２，２，…よりなる直線部１１ｃと、直線部１１ａ，１１ｂの他端側にそれぞれ位置する各柵部材２，２（図２９では下端の柵部材２，２）に一方の幅方向端２１，２１がそれぞれ角部用固定具４によって連結された互いに離間する１枚ずつの柵部材２，２よりなる直線部１１ｄと、この直線部１１ｄの各柵部材２の他方の幅方向端２１，２１に左右両端が連結された６枚の柵部材２，２，…よりなる凹部５１Ｘとを備えている。
【０１６６】
凹部５１Ｘは、そのうちの左右両端の一方がサークル本体１０Ｘの直線部１１ｄの各柵部材２のうちの直線部１１ａ側の柵部材２の他方の幅方向端２１に対し角部用固定具４により連結されてそれぞれ交互に逆向きに角部用固定具４により連結された４枚の柵部材２，２，…と、左右両端の他方がサークル本体１０Ｘの直線部１１ｄの各柵部材２のうちの直線部１１ｂ側の柵部材２の他方の幅方向端２１に対し角部用固定具４により連結され、一方の幅方向端２１，２１同士を直線部用固定具３により連結した２枚の柵部材２，２とを備えている。そして、凹部５１Ｘの左右両端の一方の４枚の柵部材２，２，…のうちの先端側の柵部材２の幅方向端２１（図２９では右端）と、凹部５１Ｘの左右両端の他方の２枚の柵部材２，２のうちの先端側の柵部材２の幅方向端２１（図２９では上端）とは、角部用固定具４により連結されている。
【０１６７】
凹部５１Ｘの左右両端の一方の４枚の柵部材２，２，…のうち、縦方向（図２９では上下方向）に延びる２枚の柵部材２のうちの一方の柵部材２（図２９では下側に位置する柵部材２）は短尺柵部材２８に置換されているとともに、横方向（図２９では左右方向）に延びる２枚の柵部材２，２のうちの一方の柵部材２（凹部５１Ｘの底に位置する柵部材２）は極めて短尺な極短尺柵部材３０に置換されている。また、サークル本体１０Ｘの直線部１１ｄの各柵部材２のうちの直線部１１ａ側の柵部材２と、凹部５１Ｘの左右両端の一方の４枚の柵部材２，２，…のうちの横方向に延びる他方の柵部材２とは、それぞれ出入口用柵部材６に置換されている。
【０１６８】
サークル本体１０Ｘには、凹部５１Ｘの出入口用柵部材６の外側に新たに囲繞された拡張空間５０Ｘを形成するサークル拡張体５Ｘが連設されている。このサークル拡張体５Ｘは、一方の幅方向端２１，２１同士を直線部用固定具３により連結した２枚の柵部材５，５により形成されている。サークル拡張体５Ｘの左右両端に位置する柵部材５，５の他方の幅方向端２１，２１は、サークル本体１０Ｘの直線部１１ｄの各柵部材２，６の他方の幅方向端２１，２１に対し、互いに向き合う縦杆２２，６２の対向面同士を突き合わせた状態で、それぞれ縦杆用締結具３４により連結されている。
【０１６９】
そして、ペット用サークル１Ｘは、サークル本体１０Ｘの凹部５１Ｘがサークル拡張体５Ｘによって塞がれている。また、サークル拡張体５Ｘの各柵部材５のうちの一方の柵部材５（図２９では右側の柵部材５）は、出入口用柵部材６に置換されている。なお、本実施の形態では、サークル本体１０Ｘの各柵部材２，２８，３０のうちの拡張空間５０Ｘと対面する凹部５１Ｘの柵部材２と、サークル拡張体５Ｘの一方の柵部材５と、拡張空間５０Ｘとは非対面となる直線部１１ｄの柵部材２とを、それぞれ出入口用柵部材６に置換したが、拡張空間と対面するサークル本体の柵部材のうちの少なくとも１枚の柵部材のみが出入口用柵部材に置換されていればよい。
【０１７０】
サークル拡張体５Ｘの各柵部材５，６には、その枠体５０，６０内を不透明に目隠しする木製のパネル材（図示せず）が取り付けられている。また、サークル本体１０Ｘの凹部５１Ｘの各柵部材２，６，２８，３０にも、その枠体２０，６０，２８０，３００内を不透明に目隠しする木製のパネル材（図示せず）が取り付けられている。
【０１７１】
サークル拡張体５Ｘは、その上方へ開口する開口部（図示せず）を閉塞するための複数枚の屋根部材（図示せず）を備え、拡張空間５０Ｘ内からのペットの飛び出しや、拡張空間５０Ｘ外からの他のペットの侵入を防止している。そして、各屋根部材は、サークル拡張体５Ｘに対し脱着自在な固定具（図示せず）を介して固定されている。この場合、屋根部材は、サークル本１０Ｘの短尺柵部材２，２８，３０と同一の枠体を備えている。
【０１７２】
したがって、本実施の形態においても、サークル本体１０Ｘの凹部５１Ｘの出入口用柵部材６の外側に新たな拡張空間５０Ｘを形成するサークル拡張体５Ｘの左右両端に位置する各柵部材５，６の他方の幅方向端２１，２１が、サークル本体１０Ｘの直線部１１ｄの各柵部材２，６の他方の幅方向端２１，２１に対し、互いに向き合う縦杆２２，６２の対向面同士を突き合わせた状態で縦杆用締結具３４によって連結されているので、サークル本体１０Ｘのサークル空間１００Ｘの外側に出入口用柵部材６によって出入り可能な新たな拡張空間５０Ｘを簡単に連設することができる。よって、複数のペットを収容した際のペット同士の接触を回避することができるとともに、単数のペットを収容した際のペットの躾を効果的に行うことができる。
【０１７３】
しかも、サークル本体１０Ｘの凹部５１Ｘの出入口用柵部材６によって、サークル空間１００Ｘと拡張空間５０Ｘとの出入りをスムーズに行うことができる。また、サークル本体１０Ｘの出入口用柵部材６によって、サークル空間１００Ｘ内外への出入りをスムーズに行うことができる。更に、サークル拡張体５Ｘの出入口用柵部材６によって、拡張空間５０Ｘ内外への出入りをスムーズに行うことができる。
【０１７４】
更に、本実施の形態のその他の変形例を図３０に基づいて説明する。この図３０は第８の実施の形態のその他の変形例に係るペット用サークルの平面図を示している。
【０１７５】
すなわち、本変形例では、図３０において符号１Ｙで示すペット用サークルは、サークル本体１０Ｙの内方へ凹む凹部５１Ｙを有している。この凹部５１Ｙは、サークル本体１０Ｙの直線部１１ａ〜１１ｄのうちの単一の直線部１１ｄに設けられている。サークル本体１０Ｙは、３枚の柵部材２，２，２の互いに隣接する幅方向端２１，２１同士をそれぞれ直線部用固定具３によって連結した直線部１１ａ，１１ｂと、この直線部１１ａ，１１ｂの一端側にそれぞれ位置する柵部材２，２（図３０では上端の柵部材２，２）の幅方向端２１，２１に角部用固定具４により幅方向端２１，２１がそれぞれ連結された４枚の柵部材２，２，…よりなる直線部１１ｃと、直線部１１ａ，１１ｂの他端側にそれぞれ位置する各柵部材２，２（図３０では下端の柵部材２，２）に一方の幅方向端２１，２１がそれぞれ角部用固定具４によって連結された互いに離間する１枚ずつの柵部材２，２よりなる直線部１１ｄと、この直線部１１ｄの各柵部材２の他方の幅方向端２１，２１に左右両端が連結された６枚の柵部材２，２，…よりなる凹部５１Ｙとを備えている。直線部１１ｃの互いに相隣なる柵部材２，２の幅方向端２１，２１同士は、それぞれ縦杆部材４５を介して長尺材３２及び縦杆用締結具３４により連結されている。
【０１７６】
凹部５１Ｙは、そのうちの左右両端の一方がサークル本体１０Ｙの直線部１１ｄの各柵部材２のうちの直線部１１ａ側の柵部材２の他方の幅方向端２１に対し角部用固定具４により連結されてそれぞれ交互に逆向きに角部用固定具４により連結された４枚の柵部材２，２，…と、左右両端の他方がサークル本体１０Ｙの直線部１１ｄの各柵部材２のうちの直線部１１ｂ側の柵部材２の他方の幅方向端２１に対し角部用固定具４により連結され、一方の幅方向端２１，２１同士を縦杆部材４５を介して長尺材３２及び縦杆用締結具３４により連結した２枚の柵部材２，２とを備えている。そして、凹部５１Ｙの左右両端の一方の４枚の柵部材２，２，…のうちの先端側の柵部材２の幅方向端２１（図３０では右端）と、凹部５１Ｙの左右両端の他方の２枚の柵部材２，２のうちの先端側の柵部材２の幅方向端２１（図３０では上端）とは、角部用固定具４により連結されている。
【０１７７】
また、サークル本体１０Ｙの直線部１１ｄの各柵部材２のうちの直線部１１ａ側の柵部材２と、凹部５１Ｙの左右両端の一方の４枚の柵部材２，２，…のうちの横方向に延びる他方の柵部材２とは、それぞれ出入口用柵部材６に置換されている。
【０１７８】
サークル本体１０Ｙには、凹部５１Ｙの出入口用柵部材６の外側に新たに囲繞された拡張空間５０Ｙを形成するサークル拡張体５Ｙが連設されている。このサークル拡張体５Ｙは、一方の幅方向端２１，２１同士の間に縦杆部材４５を挟んで直線部用固定具３により連結した２枚の柵部材５，５により形成されている。サークル拡張体５Ｙの左右両端に位置する柵部材５の他方の幅方向端２１，２１は、サークル本体１０Ｙの直線部１１ｄの各柵部材６，２の他方の幅方向端２１，２１に対し、それぞれ互いに向き合う縦杆２２，６２の対向面同士をそれぞれ縦杆部材４５を介して突き合わせた状態で、縦杆用締結具３４により連結されている。そして、ペット用サークル１Ｙは、サークル本体１０Ｙの凹部５１Ｙがサークル拡張体５Ｙによって塞がれている。また、サークル拡張体５Ｙの各柵部材５のうちの一方の柵部材５（図３０では右側の柵部材５）は、出入口用柵部材６に置換されている。なお、本実施の形態では、サークル本体１０Ｙの各柵部材２，６のうちの拡張空間５０Ｙと対面する凹部５１Ｙの柵部材２のうちの１つの柵部材２と、サークル拡張体５Ｙの一方の柵部材５と、拡張空間５０Ｙとは非対面となる直線部１１ｄの柵部材２とを、それぞれ出入口用柵部材６に置換したが、拡張空間と対面するサークル本体の柵部材のうちの少なくとも１枚の柵部材のみが出入口用柵部材に置換されていればよい。
【０１７９】
サークル拡張体５Ｙの各柵部材５，６には、その枠体５０，６０内を不透明に目隠しする木製のパネル材（図示せず）が取り付けられている。また、サークル本体１０Ｙの凹部５１Ｙの各柵部材２，６にも、その枠体２０，６０内を不透明に目隠しする木製のパネル材（図示せず）が取り付けられている。
【０１８０】
サークル拡張体５Ｙは、その上方へ開口する開口部（図示せず）を閉塞するための複数枚の屋根部材（図示せず）を備え、拡張空間５０Ｙ内からのペットの飛び出しや、拡張空間５０Ｙ外からの他のペットの侵入を防止している。そして、各屋根部材は、サークル拡張体５Ｙに対し脱着自在な固定具（図示せず）を介して固定されている。この場合、屋根部材は、サークル本１０Ｙの短尺柵部材２と同一の枠体を備えている。
【０１８１】
したがって、本実施の形態においても、サークル本体１０Ｙの凹部５１Ｙの出入口用柵部材６の外側に新たな拡張空間５０Ｙを形成するサークル拡張体５Ｙの左右両端に位置する各柵部材５，６の他方の幅方向端２１，２１が、サークル本体１０Ｙの直線部１１ｄの各柵部材２，６の他方の幅方向端２１，２１に対し、互いに向き合う縦杆２２，６２の対向面同士をそれぞれ縦杆部材４５を介して突き合わせた状態で縦杆用締結具３４によって連結されているので、サークル本体１０Ｙのサークル空間１００Ｙの外側に出入口用柵部材６によって出入り可能な新たな拡張空間５０Ｙを簡単に連設することができる。よって、複数のペットを収容した際のペット同士の接触を回避することができるとともに、単数のペットを収容した際のペットの躾を効果的に行うことができる。
【０１８２】
しかも、サークル本体１０Ｙの凹部５１Ｙの出入口用柵部材６によって、サークル空間１００Ｙと拡張空間５０Ｙとの出入りをスムーズに行うことができる。また、サークル本体１０Ｙの直線部１１ｄの出入口用柵部材６によって、サークル空間１００Ｙ内外への出入りをスムーズに行うことができる。更に、サークル拡張体５Ｙの出入口用柵部材６によって、拡張空間５０Ｙ内外への出入りをスムーズに行うことができる。
【０１８３】
なお、本発明は、前記各実施の形態に限定されるものではなく、その他種々の変形例を包含している。例えば、前記第５、第７及び第８の実施の形態では、螺子筒３５４と螺子軸３５２との螺合により双方の柵部材２，２及び縦杆部材４５を締結したが、図３１に示すように、縦杆部材４５の左右方向貫通孔にナット部材４８を嵌挿し、双方の柵部材２，２の左右方向貫通孔２６からそれぞれ挿通される縦杆用締結具４９の螺子軸４９１をナット部材４８の双方から螺合させることによって、双方の柵部材２，２及び縦杆部材４５が締結されるようにしてもよい。
【０１８４】
また、前記第５〜第８の実施の形態では、凹部５１Ｌ〜５１Ｎ、５１Ｐ、５１Ｓ〜５１Ｙを最小枚数の柵部材５よりなるサークル拡張体５Ｌ〜５Ｎ、５Ｐ、５Ｓ〜５Ｙによって塞ぐようにしたが、凹部が設けられる直線部を全て外方から覆うような略コの字状のサークル拡張体であってもよい。
【０１８５】
また、前記各実施の形態では、サークル本体１０Ａ〜１０Ｈ、１０Ｊ〜１０Ｎ、１０Ｐ、及び１０Ｓ〜１０Ｙの各柵部材２，６，９，９Ａ，２７，２８，２９，３０，４７のうち、拡張空間５０Ａ〜５０Ｆに対面する柵部材２，６，９Ａ，２７，２８，２９，３０，４７の枠体２０，６０，９０，９０Ａ，２７０，２８０，２９０，３００，４７０内を不透明に目隠しするパネル材５６を取り付けたが、これに限らず、壁面などに対面するサークル本体の各柵部材の枠体内にパネル材が取り付けられていてもよい。
【符号の説明】
【０１８６】
１Ａ〜１Ｈ，１Ｊ〜１Ｎ，１Ｐ，１Ｓ〜１Ｙ
ペット用サークル
１０Ａ〜１０Ｈ，１０Ｊ〜１０Ｎ，１０Ｐ，１０Ｓ〜１０Ｙ
サークル本体
１１ａ〜１１ｄ  直線部
１２            角部
２              柵部材
２０            枠体
２１            幅方向端
２１１          表側辺
２１２          裏側辺
２２            縦杆
２２１          裏側面
２３            横杆
２５            表裏方向貫通孔
２６            幅方向貫通孔
２７            微短尺柵部材
２７０          枠体
２８            短尺柵部材
２８０          枠体
２９            最短尺柵部材
２９０          枠体
３０            極短尺柵部材
３００          枠体
３              直線部用固定具
３１            表裏方向対応孔
３２            長尺材
３３            長尺材用締結具
３４            縦杆用締結具
４              角部用固定具
４１            扇状連結部材
４１１          半径面部
４１２          対応穴
４２            螺着部材
４７            出入口用柵部材
４７０          枠体
５              柵部材
５Ａ〜５Ｈ，５Ｊ〜５Ｎ，５Ｐ，５Ｓ〜５Ｙ
サークル拡張体
５０            枠体
５０Ａ〜５０Ｈ，５０Ｊ〜５０Ｎ，５０Ｐ，５０Ｓ〜５０Ｙ
拡張空間
５６            パネル材
６              出入口用柵部材
６０            枠体
６２            縦杆
６３            横杆
６８            出入口
６９            扉
７              屋根部材
７０            枠体
８              固定具
９              横長柵部材
９０            枠体
９Ａ            補助柵部材
９０Ａ          枠体
９３            横杆
９３Ａ          横杆
９９            屋根部材
【図１】
2016116457.tif 000003
【図２】
2016116457.tif 000004
【図３】
2016116457.tif 000005
【図４】
2016116457.tif 000006
【図５】
2016116457.tif 000007
【図６】
2016116457.tif 000008
【図７】
2016116457.tif 000009
【図８】
2016116457.tif 000010
【図９】
2016116457.tif 000011
【図１０】
2016116457.tif 000012
【図１１】
2016116457.tif 000013
【図１２】
2016116457.tif 000014
【図１３】
2016116457.tif 000015
【図１４】
2016116457.tif 000016
【図１５】
2016116457.tif 000017
【図１６】
2016116457.tif 000018
【図１７】
2016116457.tif 000019
【図１８】
2016116457.tif 000020
【図１９】
2016116457.tif 000021
【図２０】
2016116457.tif 000022
【図２１】
2016116457.tif 000023
【図２２】
2016116457.tif 000024
【図２３】
2016116457.tif 000025
【図２４】
2016116457.tif 000026
【図２５】
2016116457.tif 000027
【図２６】
2016116457.tif 000028
【図２７】
2016116457.tif 000029
【図２８】
2016116457.tif 000030
【図２９】
2016116457.tif 000031
【図３０】
2016116457.tif 000032
【図３１】
2016116457.tif 000033